(57)【特許請求の範囲】
【請求項１】
無線ネットワークノード（１１０）により実行される、ユーザ機器（１２０）から前記無線ネットワークノード（１１０）への送信を管理するための方法であって、
前記ユーザ機器（１２０）内に含まれる無線送信機（１４２０）の少なくとも１つのモード切り替えポイントを示す情報に基づいて、前記送信に関するトランスポートフォーマットを適応させること（３０２，１１０２）と、前記少なくとも１つのモード切り替えポイントにおいて、前記無線送信機（１４２０）の対応する相対位相ズレ又は位相ズレが急激に変化することと、前記トランスポートフォーマットの前記適応は、前記少なくとも１つのモード切り替えポイントを示す情報が把握されない場合に前記送信について選択されるよりロバスト性の低いトランスポートフォーマットを基準として、よりロバストなトランスポートフォーマットを選択すること、を含むことと、
を含む方法。
【請求項２】
予め定義される情報、
前記無線ネットワークノード（１１０）により実行される測定、
前記無線ネットワークノード（１１０）による、前記ユーザ機器（１２０）の送信電力レンジをスキャンするための手続、及び、
前記ユーザ機器（１２０）から受信される標識、
のうちの１つ以上に基づいて、前記情報を取得すること（３０１，１１０１）、
をさらに含む、請求項１に記載の方法。
【請求項３】
取得される前記情報は、第１の無線アクセス技術に関し、前記ユーザ機器（１２０）は、少なくとも前記第１の無線アクセス技術及び第２の無線アクセス技術に対応可能であり、前記方法は、前記第１の無線アクセス技術についての無線送信特性が前記第２の無線アクセス技術についての無線送信特性と同様であるという条件の下で、前記第１の無線アクセス技術についての前記情報に基づいて、前記第２の無線アクセス技術に関する第２の情報を取得すること、をさらに含み、前記第２の情報は、前記無線送信機（１４２０）の少なくとも１つのモード切り替えポイントを示す、請求項２に記載の方法。
【請求項４】
前記情報に基づいて、前記送信に関する、前記ユーザ機器（１２０）のＭＩＭＯ構成を適応させること（３０３，１１０３）と、
前記情報に基づいて、前記送信に関する、前記ユーザ機器（１２０）のアンテナモードを適応させること（３０４，１１０４）と、
前記情報に基づいて、前記送信に関するリファレンス信号構成を適応させること（３０５，１１０５）と、
前記情報に基づいて、前記無線ネットワークノード（１１０）内に含まれる無線受信機（１２３０）の構成を適応させること（３０６，１１０６）と、
のうちの１つ以上をさらに含む、請求項１〜３のいずれか１項に記載の方法。
【請求項５】
前記ユーザ機器（１２０）とさらなるネットワークノードとの間の送信のために前記情報を使用する前記さらなるネットワークノードへ前記情報を送信すること（３０７，１１０７）、
をさらに含む、請求項１〜４のいずれか１項に記載の方法。
【請求項６】
前記無線送信機（１４２０）は、第１の電力増幅器（４２１）及び第２の電力増幅器（４２２）を含み、前記少なくとも１つのモード切り替えポイントは、前記無線送信機（１４２０）の送信電力の観点で、前記無線送信機（１４２０）が、前記第１の電力増幅器が作動される第１のモードから前記第２の電力増幅器が作動される第２のモードへといつ切り替わるのかを示す、請求項１〜５のいずれか１項に記載の方法。
【請求項７】
ユーザ機器（１２０）により実行される、前記ユーザ機器（１２０）から無線ネットワークノード（１１０）への送信を管理するための方法であって、
前記ユーザ機器（１２０）内に含まれる無線送信機（１４２０）の少なくとも１つのモード切り替えポイントを示す情報に基づいて、前記送信を適応させること（３１１，１３０２）と、前記少なくとも１つのモード切り替えポイントにおいて、前記無線送信機（１４２０）の対応する相対位相ズレ又は位相ズレが急激に変化することと、前記送信の前記適応（３１１，１３０２）は、前記少なくとも１つのモード切り替えポイントを示す情報に基づいて、前記送信に関する値を適応させること、をさらに含むことと、前記値は、前記送信に関するトランスポートフォーマットを含むことと、前記トランスポートフォーマットを適応させることは、前記少なくとも１つのモード切り替えポイントを示す情報が把握されない場合に前記送信について選択されるよりロバスト性の低いトランスポートフォーマットを基準として、よりロバストなトランスポートフォーマットを選択すること、を含むことと、
を含む方法。
【請求項８】
前記送信を前記適応させること（３１１，１３０２）は、少なくとも１つのモード切り替えポイントを示す前記情報に基づいて、前記送信に関する値を適応させること、をさらに含み、前記値は、
前記送信に関する１つ以上の電力制御パラメータ、
前記送信に関する、前記ユーザ機器（１２０）のＭＩＭＯ構成、
前記送信に関する、前記ユーザ機器（１２０）のアンテナモード、
前記送信に関するリファレンス信号構成、及び、
前記無線ネットワークノード（１１０）内に含まれる無線受信機（１２３０）の構成、
のうちの１つ以上を含む、請求項７に記載の方法。
【請求項９】
適応させた前記送信に関する情報を前記無線ネットワークノード（１１０）へ送信すること（３１２，１３０３）、
をさらに含む、請求項７又は８に記載の方法。
【請求項１０】
少なくとも１つのモード切り替えポイントを示す前記情報を前記無線ネットワークノード（１１０）へ送信すること（３１０，１３０１）、
をさらに含む、請求項７〜９のいずれか１項に記載の方法。
【請求項１１】
前記送信を前記適応させること（３１１）は、送信の相対位相ズレがしきい値を超過したことを前記情報が示すときに実行される、請求項７又は８に記載の方法。
【請求項１２】
前記送信を前記適応させること（３１１）は、前記ユーザ機器（１２０）が前記無線ネットワークノード（１１０）により、前記送信を前記適応させること（３１１）を実行することが許容されるように明示的に構成されているという条件の下で実行される、請求項１１に記載の方法。
【請求項１３】
無線ネットワークノード（１１０）であって、ユーザ機器（１２０）から前記無線ネットワークノード（１１０）への送信を管理するように構成され、
前記ユーザ機器（１２０）内に含まれる無線送信機（１４２０）の少なくとも１つのモード切り替えポイントを示す情報に基づいて、前記送信に関するトランスポートフォーマットを適応させるように構成される処理回路（１１１０）、
を含み、
前記少なくとも１つのモード切り替えポイントにおいて、前記無線送信機（１４２０）の対応する相対位相ズレ又は位相ズレが急激に変化し、前記トランスポートフォーマットの前記適応は、前記少なくとも１つのモード切り替えポイントを示す情報が把握されない場合に前記送信について選択されるよりロバスト性の低いトランスポートフォーマットを基準として、よりロバストなトランスポートフォーマットを選択すること、を含む、
無線ネットワークノード（１１０）。
【請求項１４】
前記処理回路（１１１０）は、
予め定義される情報、
前記無線ネットワークノード（１１０）により実行される測定、
前記無線ネットワークノード（１１０）による、前記ユーザ機器（１２０）の送信電力レンジをスキャンするための手続、及び、
前記ユーザ機器（１２０）から受信される標識、
のうちの１つ以上に基づいて、前記無線送信機（１４２０）の前記少なくとも１つのモード切り替えポイントを示す前記情報を取得するようにさらに構成される、請求項１３に記載の無線ネットワークノード（１１０）。
【請求項１５】
取得される前記情報は、第１の無線アクセス技術に関し、前記ユーザ機器（１２０）は、少なくとも前記第１の無線アクセス技術及び第２の無線アクセス技術に対応可能であり、前記処理回路（１１１０）は、前記第１の無線アクセス技術についての無線送信特性が前記第２の無線アクセス技術についての無線送信特性と同様であるという条件の下で、前記第１の無線アクセス技術についての前記情報に基づいて、前記第２の無線アクセス技術に関する第２の情報を取得するようにさらに構成され、前記第２の情報は、前記無線送信機（１４２０）の少なくとも１つのモード切り替えポイントを示す、請求項１４に記載の無線ネットワークノード（１１０）。
【請求項１６】
前記処理回路（１１１０）は、
前記情報に基づいて、前記送信に関する、前記ユーザ機器（１２０）のＭＩＭＯ構成を適応させることと、
前記情報に基づいて、前記送信に関する、前記ユーザ機器（１２０）のアンテナモードを適応させることと、
前記情報に基づいて、前記送信に関するリファレンス信号構成を適応させることと、
前記情報に基づいて、前記無線ネットワークノード（１１０）内に含まれる無線受信機（１２３０）の構成を適応させることと、
のうちの１つ以上を行うようにさらに構成される、請求項１３〜１５のいずれか１項に記載の無線ネットワークノード（１１０）。
【請求項１７】
前記処理回路（１１１０）は、前記ユーザ機器（１２０）とさらなるネットワークノードとの間の送信のために前記情報を使用可能である前記さらなるネットワークノードへ前記情報を送信するようにさらに構成される、請求項１３〜１６のいずれか１項に記載の無線ネットワークノード（１１０）。
【請求項１８】
ユーザ機器（１２０）であって、前記ユーザ機器（１２０）から無線ネットワークノード（１１０）への送信を管理するように構成され、前記ユーザ機器（１２０）内に含まれる無線送信機（１４２０）の少なくとも１つのモード切り替えポイントを示す情報に基づいて、前記送信を適応させるように構成される処理回路（１４１０）を含み、
前記少なくとも１つのモード切り替えポイントにおいて、前記無線送信機（１４２０）の対応する相対位相ズレ又は位相ズレが急激に変化し、
前記ユーザ機器（１２０）は、前記少なくとも１つのモード切り替えポイントを示す情報に基づいて、前記送信に関する値を適応させることにより、前記送信を適応させる、ように構成され、前記値は、前記送信に関するトランスポートフォーマットを含み、前記ユーザ機器（１２０）は、前記少なくとも１つのモード切り替えポイントを示す情報が把握されない場合に前記送信について選択されるよりロバスト性の低いトランスポートフォーマットを基準として、よりロバストなトランスポートフォーマットを選択することにより、前記トランスポートフォーマットを適応させる、ように構成される、
ユーザ機器（１２０）。
【請求項１９】
前記処理回路（１４１０）は、前記情報に基づいて、前記送信に関する値を適応させるようにさらに構成され、前記値は、
前記送信に関する１つ以上の電力制御パラメータ、
前記送信に関する、前記ユーザ機器（１２０）のＭＩＭＯ構成、
前記送信に関する、前記ユーザ機器（１２０）のアンテナモード、
前記送信に関するリファレンス信号構成、及び、
前記無線ネットワークノード（１１０）内に含まれる無線受信機（１２３０）の構成、
のうちの１つ以上を含む、請求項１８に記載のユーザ機器（１２０）。
【請求項２０】
前記処理回路（１４１０）は、適応させた前記送信に関する情報を前記無線ネットワークノード（１１０）へ送信するようにさらに構成される、請求項１８又は１９に記載のユーザ機器（１２０）。
【請求項２１】
前記処理回路（１４１０）は、少なくとも１つのモード切り替えポイントを示す前記情報を前記無線ネットワークノード（１１０）へ送信するようにさらに構成される、請求項１８〜２０のいずれか１項に記載のユーザ機器（１２０）。
【請求項２２】
前記処理回路（１４１０）は、アップリンク送信の相対位相ズレが相対位相ズレを示すためのしきい値を超過したことを前記情報が示すときに、前記アップリンク送信を適応させるようにさらに構成される、請求項１８に記載のユーザ機器（１２０）。
【請求項２３】
前記処理回路（１４１０）は、前記ユーザ機器（１２０）が前記無線ネットワークノード（１１０）により、前記アップリンク送信を適応させることが許容されるように明示的に構成されているという条件の下で、前記アップリンク送信を適応させるようにさらに構成される、請求項２２に記載のユーザ機器（１２０）。
【発明の詳細な説明】
【技術分野】
【０００１】
［関連出願への相互参照］
本出願は、２０１２年１０月１日に提出された米国仮特許出願第６１／７０８，２５２号の利益を主張する。
【０００２】
［技術分野］
ここでの実施形態は、一般に、ワイヤレス通信受信機に関し、より具体的には、送受信機性能に関する。特に、いくつかの実施形態は、ユーザ機器から無線ネットワークノードへの送信を管理するための、無線ネットワークノード、ユーザ機器及びそれらの中での方法に関する。
【背景技術】
【０００３】
ワイヤレス通信受信機の分野では、送受信機性能に関する様々な要件が考慮され得る。１つのそうした要件は、いわゆる位相ズレ（phase  discontinuity）に関係する。
【０００４】
位相ズレ（ＰＤ）は、ユーザ機器から電気通信システム内の無線基地局へのアップリンク送信の任意の２つの隣接する時間スロットの間の位相における変化の指標である。端的に言うと、アップリンク（ＵＬ）関連は典型的にはユーザ機器から無線基地局への送信に関し、一方でダウンリンク（ＤＬ）は典型的には無線基地局からユーザ機器への送信に関する。ＵＬで送信される信号／チャネルについてのＰＤ要件は、高速パケットアクセス（ＨＳＰＡ）では、単一のアップリンク（ＵＬ）アンテナについて、例えば、ＵＬ専用物理チャネル（ＤＰＣＨ）、高速専用物理制御チャネル（ＨＳ−ＤＰＣＣＨ）及び拡張専用チャネル（Ｅ−ＤＣＨ）について定義されている。
【０００５】
例えば、ＵＬ  ＤＰＣＨについて、表１において仕様化されているパラメータについてのアップリンクＤＰＣＨ上のいかなる位相ズレの発生レートも、表２において仕様化された値を超過しないものとされている。
【０００６】
【表１】
0005905998.tif 000002
【０００７】
【表２】
0005905998.tif 000003
【０００８】
送信機を含む、知られているユーザ機器を考慮されたい。位相ズレを解説する目的のために、当該送信機は２つの電力増幅器を含む。２つの電力増幅器の各々は、送信されるべき送信信号の送信電力がそれぞれの送信電力レンジ内にある際に作動される。ユーザ機器が、一方の電力増幅器を作動させる状態から他方の電力増幅器を作動させる状態へと切り替わると、位相ズレが発生する。このコンテキストにおいて、例えば、ユーザ機器が電力増幅器を切り替える電力レベルの観点での当該ポイントは、電力増幅器（ＰＡ）切り替えポイントと称され得る。多くのシナリオでは、上記のようにユーザ機器が２つの電力増幅器の間で切り替わるときに、性能が劣化する恐れがあり、及び／又は損失が増大する恐れがある。
【０００９】
さらに、例えば、多重入力多重出力（ＭＩＭＯ）といったマルチアンテナシステムを内包するシナリオでは、相対位相ズレに関する要件が適用可能であり得る。
【００１０】
ＭＩＭＯ送信可能な他の知られているユーザ機器を考慮されたい。当該ユーザ機器は、図１に示されるような送信機を含む。相対位相ズレを解説する目的のために、当該送信機は、２つの送信機ブランチである、ＴＸブランチ＃１、ＴＸブランチ＃２を含む。
【００１１】
送信機ブランチ＃１及び＃２についての２つの絶対位相はそれぞれ、φ１（ｔ）及びφ２（ｔ）と表記される。相対位相（ＲＰ）は、δφ（ｔ）＝φ１（ｔ）−φ２（ｔ）と定義される。次いで、相対位相ズレ（ＲＰＤ）は、２つの時刻ｔ１とｔ２との間のＲＰの差、即ち、δφ（ｔ１）−δφ（ｔ２）と定義される。よって、相対位相ズレは、任意の２つの隣接する時間スロットについての、異なる送信機ブランチ間の相対位相の変化の指標である。位相ズレと同様に、相対位相ズレは、多くのシナリオにおいて、性能を劣化させる恐れがあり、及び／又は損失を増大させる恐れがある。
ＵＳ２００６／００８３１９５は、多重入力多重出力（ＭＩＭＯ）無線通信システムを開示している。複数の送信アンテナを含む送信機は、空間多重化方式及び空間ダイバーシティ方式のうちの１つを選択し、選択した送信方式で信号を処理し、複数の送信アンテナを通じて当該信号を送信する。複数の受信アンテナを含む受信機は、送信機の送信方式へマッピングされる受信方式で信号を処理する。送信方式は、ダイバーシティ利得を最大化するための送信方式、及びスペクトル効率を最大化するための送信方式を含む。適応的な送信モード切り替え技法を用いるＭＩＭＯ通信システムは、チャネルの空間的選択性を用いて複数のＭＩＭＯ送信モードの間での切り替えを実行し、それにより、信号対雑音比（ＳＮＲ）及びスペクトル効率における最大の利得を、チャネル状態に従って獲得する。
ＵＳ２０１０／０２０８６０２は、モバイル通信チャネル上で送信されるデータパケットのための変調方法を開示している。上記方法は、無線条件が良好な場合に使用されるべき第１の線型変調モードと、無線条件が劣悪な場合に使用されるべき第２の一定包絡線変調モードとを含む。時間拡散が生じる場合には一定包絡線変調された信号はより劣化することから、時間拡散が過酷である場合にも、第１の線型変調モードが使用される。モバイル通信チャネル上で送信されるデータパケットのための変調方法もまた開示される。上記方法は、無線条件が良好な場合に使用されるべき第１の線型変調モードと、無線条件が劣悪な場合に使用されるべき第２の一定包絡線変調モードとを含む。時間拡散が生じる場合には一定包絡線変調された信号はより劣化することから、時間拡散が過酷である場合にも、第１の線型変調モードが使用される。
【発明の概要】
【００１２】
目的は、ユーザ機器から無線基地局への送信の性能を改善することである。
【００１３】
一実施態様によれば、当該目的は、無線ネットワークノードにより実行される、ユーザ機器から無線ネットワークノードへの送信を管理するための方法により達成される。無線ネットワークノードは、ユーザ機器内に含まれる無線送信機の少なくとも１つのモード切り替えポイントを示す情報に基づいて、送信に関するトランスポートフォーマットを適応させる。
【００１４】
他の実施態様によれば、当該目的は、ユーザ機器から無線ネットワークノードへの送信を管理するように構成される無線ネットワークノードにより達成される。無線ネットワークノードは、ユーザ機器内に含まれる無線送信機の少なくとも１つのモード切り替えポイントを示す情報に基づいて、送信に関するトランスポートフォーマットを適応させるように構成される処理回路を含む。
【００１５】
さらなる実施態様によれば、当該目的は、ユーザ機器により実行される、ユーザ機器から無線ネットワークノードへの送信を管理するための方法により達成される。ユーザ機器は、当該ユーザ機器内に含まれる無線送信機の少なくとも１つのモード切り替えポイントを示す情報に基づいて、送信を適応させる。
【００１６】
さらに他の実施態様によれば、当該目的は、ユーザ機器であって、当該ユーザ機器から無線ネットワークノードへの送信を管理するように構成される、ユーザ機器により達成される。ユーザ機器は、当該ユーザ機器内に含まれる無線送信機の少なくとも１つのモード切り替えポイントを示す情報に基づいて、送信を適応させるように構成される処理回路を含む。
【００１７】
無線ネットワークノードが少なくとも１つのモード切り替えポイントを示す情報に基づいて、送信についてのトランスポートフォーマットを適応させるおかげで、無線ネットワークノードは、よりロバストな、又はより保守的（conservative）なトランスポートフォーマットを選択し得る。よりロバストなトランスポートフォーマットは、少なくとも１つのモード切り替えポイントを示す情報が把握されないケースで送信について選択されたはずの、よりロバスト性の低いトランスポートフォーマットの場合よりも、無線ネットワークノードによる送信の復号を、より容易にするであろう。よって、復号におけるエラーは、位相ズレの存在にも関わらず、減少し得る。その結果、性能は向上し得る。それにより、性能に対して予期される、位相ズレに起因する悪影響が低減される。結論として言えば、ユーザ機器から無線基地局への送信における、位相ズレ及び／若しくは相対位相ズレ、又はその影響の低減が達成される。
【００１８】
他の目的は、ユーザ機器に含まれる無線送信機の少なくとも１つのモード切り替えポイントを示す情報について、いかに無線ネットワークノードに気付かせるべきかであり得る。
【００１９】
さらなる実施態様によれば、この目的は、無線ネットワークノードにより実行される、少なくとも１つのモード切り替えポイントを示す情報を取得するための方法により達成される。無線ネットワークノードは、リファレンス信号の電力を増大させること、及び、受信されるリファレンス信号の相対位相を測定することにより、ユーザ機器の送信電力レンジの少なくとも一部をスキャンする。無線ネットワークノードは、測定された相対位相におけるズレを検出すると、少なくとも１つのモード切り替えポイントを示す情報を、検出されたズレにおける送信電力として記録（register）する。
【００２０】
当業者は、以下の詳細な説明を読み、添付の図面を見ると、追加的な特徴及び利点を認識するであろう。
【図面の簡単な説明】
【００２１】
【図１】２アンテナのＵＥ送信機アーキテクチャである。
【図２】ここでの実施形態が実装され得る例示的な無線通信システムである。
【図３】図２の無線通信システムにおいて実装されるときの、ここでの実施形態による例示的な方法を示す、組み合わされたシグナリング及びフロー図である。
【図４】ＵＥについての送信電力と絶対位相との間の関係についての一例である。
【図５】相対位相（ＲＰ）と送信電力との間の関係である。
【図６】ＵＥ動作モードの一例である。
【図７】ＰＵＳＣＨ送信及びＳＲＳ送信の一例を例示する図を示す。
【図８】ＵＥ動作モードのさらなる一例である。
【図９】ＬＴＥ  ＵＬについてのコードブックである。
【図１０】ＬＴＥ  ＵＬについてのコードブックである。
【図１１】ここでの実施形態に係る無線ネットワークノードにおける例示的な方法を例示するフロー図である。
【図１２】ここでの実施形態に係る例示的な無線ネットワークノードを例示するブロック図である。
【図１３】ここでの実施形態に係るユーザ機器における例示的な方法を例示するフロー図である。
【図１４】ここでの実施形態に係る例示的なユーザ機器を例示するブロック図である。
【発明を実施するための形態】
【００２２】
以下においては、実施形態の複数の例が示されている添付の図面を参照して、より充分に、様々な実施態様について説明する。ここで開示される実施形態は、多くの様々な形で実装されてよく、以下に明記される本実施形態に限定されるものと解釈されるべきではない。これら実施形態が、相互排他的ではないことにも留意されるべきである。よって、１つの実施形態からのコンポーネント又は特徴が、他の実施形態において存在しているか、又は使用されているものと想定されてよく、ここで、そうした包含は適切である。
【００２３】
少なくとも１つのモード切り替えポイントに関する情報、又はモード切り替え情報の定義を、ここに提示する。この開示全体にわたり、モード切り替え情報は、対応する相対位相ズレ又は位相ズレが急激に変化する動作ポイントに関する情報として定義される。当該モード切り替え情報は、無線送信機のコンポーネント、例えば、電力増幅器（ＰＡ）又は無線周波数特定用途向け集積回路（ＲＦ  ＡＳＩＣ）のモード切り替えに関し得る。例えば、動作ポイントとしても知られるモード切り替えポイントは、無線コンポーネント、例えばＰＡの実装に依存する。例えば、ユーザ機器は、２つ以上のＰＡを含むマルチステージＰＡを含み得る。典型的には、一度にＰＡのうちの１つのみが、ユーザ機器の送信電力レベルに依存してアクティブになる。このことは、ユーザ機器のバッテリ電力を節約し、よって、バッテリ寿命を延ばす。例えば、３ステージＰＡは、３つのＰＡ及び２つのモード切り替えポイントを有する。従って、モード切り替え情報は、マルチステージＰＡ内におけるＰＡの数も含み得る。モード切り替え情報は、動作ポイントの送信電力レベル、又は、互いに続く動作ポイント間の送信電力差を含み得る。モード切り替え情報は、動作ポイントの位相値、又は互いに続く動作ポイント間の位相差も含み得る。モード切り替え情報は、ヒステリシス値といった、モード切り替えに関するパラメータをさらに含んでもよい。モード切り替え情報は、ユーザ機器の総送信電力レンジにわたる、即ち、ユーザ機器の最大（２３ｄＢｍ）出力電力レベルと最小（−５０ｄＢｍ）出力電力レベルとの間の、モード切り替えポイントの数をも含んでもよい。モード切り替え情報は、ユーザ機器の送信電力レンジにわたって定義されてもよく、それはユーザ機器の無線送信機要件、又は、或るタイプの無線送信機要件、例えば、２３ｄＢｍから−４０ｄＢｍの間で定義される送信変調品質を対象とする。モード切り替えポイントにおける信号の位相の急激な変化に起因して、ユーザ機器がモード切り替えポイントにおいて電力を送信する精度は、一般に、より一層悪くなる。
【００２４】
図２は、ここでの実施形態が実装され得る例示的な無線通信システム１００を描く。この例において、無線通信システム１００は、ＬＴＥシステムである。その他の例において、無線通信システムは、広帯域符号分割多重アクセス（ＷＣＤＭＡ）ネットワーク、又はＧＳＭネットワーク（Global  System  for  Mobile  Communication）などといった任意の３ＧＰＰセルラ通信システムであってよい。
【００２５】
無線通信システム１００は、無線ネットワークノード１１０を含む。ここで使用される“無線ネットワークノード”という用語は、発展型ノードＢ（ｅＮＢ）、１つ以上の遠隔無線ユニット（ＲＲＵ）を制御する制御ノード、無線基地局、基地局、又はアクセスポイントなどを指し得る。
【００２６】
さらに、無線通信システム１００は、ユーザ機器１２０を含む。ユーザ機器１２０は、送信信号１３０を無線ネットワークノード１１０へ送信し得る。ここで使用される“ユーザ機器”という用語は、モバイルフォン、セルラフォン、無線通信ケイパビリティが備わっているＰＤＡ（Personal  Digital  Assistant）、スマートフォン、内部若しくは外部モバイルブロードバンドモデムが装着された、ラップトップコンピュータ若しくはパーソナルコンピュータ（ＰＣ）、無線通信ケイパビリティを有するタブレットＰＣ、ポータブルな電子無線通信デバイス、又は、無線通信ケイパビリティが備わっているセンサデバイスなどを指し得る。センサは、風、温度、気圧、湿度などといった、あらゆる種類の気象センサであってよい。さらなる例として、センサは、光センサ、電子スイッチ、マイクロフォン、ラウドスピーカー、カメラセンサなどであってよい。
【００２７】
ユーザ機器１２０は、図１４において１４２０と表記される無線送信機を含み得る（図２には図示せず）。無線送信機は、第１の電力増幅器及び第２の電力増幅器を含み得る。少なくとも１つのモード切り替えポイントは、無線送信機の送信電力の観点で、無線送信機が、第１の電力増幅器が作動される第１のモードから第２の電力増幅器が作動される第２のモードへといつ切り替わり得るのかを示し得る。このコンテキストにおいて、“作動される”という用語は、ユーザ機器１２０から無線ネットワークノード１１０へ送信されるべき送信信号を送信するために、当座の電力増幅器がアクティブであるか、又は使用されていることを意味し得る。異なる送信電力における送信のために異なる電力増幅器を使用する目的は、例えば、電力増幅器のレンジにわたる線型性を改善し、電力消費を減少させることである。従って、無線送信機の少なくとも１つのモード切り替えポイントを示す情報は、無線ネットワークノード１１０及びユーザ機器１２０の双方に有用であり得る。
【００２８】
図３は、図２の無線通信システム１００において実装されるときの、ここでの実施形態による例示的な方法を例示する。例示される方法は、ユーザ機器１２０から無線ネットワークノード１１０への送信信号１３０の管理に関する。よって、送信は、アップリンク（ＵＬ）送信であり得る。
【００２９】
以下のアクションは、任意の適切な順序で実行されてよい。
【００３０】
［アクション３０１］
アクション３０２において無線ネットワークノード１１０が少なくとも１つのモード切り替えポイントを示す情報を使用するために、無線ネットワークノード１１０は、以下において解説されるように、様々な態様で少なくとも１つのモード切り替えポイントを示す情報を取得し得る。
【００３１】
取得される情報は、ユーザ機器１２０から受信される標識により決定されてもよい。以下のアクション３１０を参照されたい。
【００３２】
取得される情報は、予め定義されてもよい。一例として、ユーザ機器１２０の様々なタイプ、例えば、モデル及び／又は製造業者（manufacturer）に関する予め定義される情報が無線ネットワークノード１１０に格納されてもよい。
【００３３】
取得される情報は、無線ネットワークノード１１０により実行される測定によって決定されてもよい。“測定に基づいて情報を取得すること”のセクションを参照されたい。
【００３４】
取得される情報は、無線ネットワークノード１１０による、ユーザ機器１２０の送信電力レンジをスキャンするための手続により特定されてもよい。“ＵＬ送信電力レンジをスキャンすることに基づいて情報を取得すること”のセクションを参照されたい。
【００３５】
有利にも、すぐ上の３つの態様によれば、無線ネットワークノードは、ユーザ機器から受信され得る標識に関する知識無しに、相対位相ズレ（ＲＰＤ）を低減させ得る。
【００３６】
さらに、いくつかの実施形態によれば、取得される情報は、ＬＴＥ又はその他といった第１の無線アクセス技術に関し得る。ユーザ機器１２０は、少なくとも第１の無線アクセス技術及び高速パケットアクセス（ＨＳＰＡ）といった第２の無線アクセス技術に準拠する。当該方法は、第１の無線アクセス技術についての無線送信特性が第２の無線アクセス技術についての無線送信特性と同様であるという条件の下で、第１の無線アクセス技術についての少なくとも１つのモード切り替えポイントを示す情報に基づいて、第２の無線アクセス技術に関する第２の情報を取得すること、をさらに含む。第２の情報は、無線送信機１４２０の少なくとも１つのモード切り替えポイントを示す。“マルチＲＡＴ  ＵＥにおける共通無線機に基づいて情報を取得すること”のセクションも参照されたい。
【００３７】
さらなる実施形態によれば、無線ネットワークノード１１０は、上に開示された、取得される情報をいかに取得すべきかの態様のいずれかを組み合わせてよい。取得される情報をより正確に特定するために、２つ以上の態様の組み合わせが使用されてよい。
【００３８】
一例として、無線ネットワークノード１１０は、予め定義される情報を使用して、少なくとも１つのモード切り替えポイントを示す情報、又は“ＵＥモード切り替え情報”をまず決定し得る。次いで、無線ネットワークノード１０はさらに、測定に基づいた方法を使用することにより、ＵＥモード切り替え情報を検証し得る。２つの方法の結果が一致する場合、無線ネットワークノード１１０は、その他の方法を何ら実行しないことがあり得る。しかしながら、２つの方法の結果が一致しないか、又は部分的にしか一致しない場合、無線ネットワークノード１１０は、例えば、スキャンすること及びその他に基づいて、さらに他の方法を実行し得る。
【００３９】
［アクション３０２］
無線ネットワークノード１１０が少なくとも１つのモード切り替えポイントに関する情報を一旦取得すると、無線ネットワークノード１１０は、少なくとも１つのモード切り替えポイントを示す情報に基づいて、送信に関するトランスポートフォーマット（ＴＦ）を適応させる。
【００４０】
ユーザ機器１２０にサービスする無線ネットワークノード１１０は、典型的には、信号品質、ユーザビットレート要件、サービスタイプなどといった情報に基づいて、送信のＴＦを選択する。しかしながら、この実施形態によれば、無線ネットワークノード１１０は、送信のＴＦを適応させるときに、少なくとも１つのモード切り替えポイントを示す情報も考慮する。
【００４１】
ユーザ機器１２０にサービスする無線ネットワークノード１１０により実行されるＵＬ送信の適応は、適切な物理チャネル上で生じるＵＬ送信のＴＦの適応を含み得る。例えばＬＴＥにおいて、無線ネットワークノードの一例としてのｅＮＢは、データ、並びに／又は、データ及び制御を搬送する物理アップリンク共有チャネル（ＰＵＳＣＨ）のＴＦを適応させることができる。例えば、ユーザ機器１２０が有意な、即ちしきい値よりも高いＲＰＤを引き起こしていると無線ネットワークノード１１０が判定する場合、この例においてはｅＮＢである無線ネットワークノード１１０は、ＵＬ信号品質推定に基づいて推奨されるトランスポートフォーマットよりも、より保守的なＴＦを選択することができる。このようにして、ＵＬ信号は、サービングノードによって、より容易に復号されることが可能である。例えば、無線ネットワークノード１１０は、ＵＬ受信機性能を観測することによって、より高いＲＰＤに起因する損失を特定することができる。このようにして、より高いＲＰＤに起因する、ＭＩＭＯプリコーディング利得の潜在的損失に対処することができる。
【００４２】
アクション３０３、３０４、３０５及び３０６において、無線ネットワークノード１１０は、少なくとも１つのモード切り替えポイントを示す情報を、以下に解説するように、送信に関する様々なパラメータを適応させるときの根拠として使用する。
【００４３】
［アクション３０３］
無線ネットワークノード１１０は、上記情報に基づいて、送信に関する、ユーザ機器１２０のＭＩＭＯ構成を適応させてもよい。
【００４４】
一例として、ユーザ機器１２０にサービスする無線ネットワークノード１１０は、典型的には、信号品質、ユーザビットレート要件、サービスタイプなどといった情報に基づいて、ＵＬ送信のＭＩＭＯ構成を選択する。
【００４５】
しかしながら、この実施形態によれば、サービング無線ネットワークノード１１０は、ＵＬ送信のＭＩＭＯ構成を適応させるときに、少なくとも１つのモード切り替えポイントを示す情報も考慮する。
【００４６】
例えば、ユーザ機器１２０が有意な、即ちしきい値よりも高いＲＰＤを引き起こしていると無線ネットワークノード１１０が判定する場合、無線ネットワークノード１１０は、ＵＬ信号品質推定に基づいて推奨される構成よりも、より保守的なＭＩＭＯ構成、例えば空間ストリームの数、を選択することができる。このようにして、ＵＬ信号は、サービングノード、即ち無線ネットワークノード１１０により、より容易に復元されることが可能である。例えば、無線ネットワークノード１１０は、ＵＬ受信機性能を観測することによって、より高いＲＰＤに起因する損失を特定することができる。このようにして、より高いＲＰＤに起因するＭＩＭＯプリコーディング利得の潜在的損失に対処することができる。さらに他の例において、無線ネットワークノード１１０は、より低次の多重アンテナ送信へ、例えば４×２アンテナスキームから２×２アンテナスキームへとユーザ機器１２０を構成し、関連するリソース、即ち、より高次のマルチアンテナモードを、より小さなＲＰＤを有するその他のＵＥに開放し得る。さらに他の例において、無線ネットワークノード１１０は、より高いＲＰＤを有するＵＥを、ビームフォーミング、例えば２×２アンテナスキームから、切り替えアンテナ（switched  antenna）ダイバーシティに構成し得る。後者はＲＰＤを引き起こさない。
【００４７】
［アクション３０４］
無線ネットワークノード１１０は、上記情報に基づいて、送信に関する、ユーザ機器１２０のアンテナモードを適応させてもよい。
【００４８】
ユーザ機器１２０にサービスする無線ネットワークノードは、典型的には、ＵＬ信号品質、例えばＳＩＮＲ、ＢＬＥＲなど、ユーザビットレート要件、サービスタイプなどといった情報に基づいて、ＵＬ送信についてのＵＬアンテナ送信モードを選択する。しかしながら、この実施形態によれば、無線ネットワークノード１１０は、ＵＬ送信についてのアンテナ送信モードを適応させるときに、少なくとも１つのモード切り替えポイントを示す情報も考慮する。
【００４９】
例えば、無線ネットワークノード１１０は、モード切り替え情報に依存して、単一アンテナ送信モードと多重アンテナ送信モードとの間で適応し得る。例えば、ユーザ機器が有意な、即ちしきい値よりも高いＲＰＤを引き起こしていると無線ネットワークノード１１０が判定する場合、無線ネットワークノード１１０は、全ＭＩＭＯ利得を利用することができない。このケースにおいて、無線ネットワークノード１１０は、より高いＲＰＤを有するユーザ機器１２０を単一アンテナ送信に構成し、関連するリソース、即ちマルチアンテナモードを、より小さなＲＰＤを有するその他のＵＥに開放し得る。
【００５０】
［アクション３０５］
無線ネットワークノード１１０は、上記情報に基づいて、送信に関するリファレンス信号構成を適応させてもよい。
【００５１】
さらに他の例において、無線ネットワークノード１１０といったサービングノードは、ＲＰＤに起因するＵＬ信号の損失を最小化するために、ユーザ機器１２０により送信されるＵＬリファレンス信号に関する１つ以上のパラメータを適応させ得る。ＵＬリファレンス信号の例は、ＬＴＥにおけるＳＲＳ、ＬＴＥにおけるＤＭＲＳ、及び、ＨＳＰＡにおけるサウンディング信号（サウンディング専用物理制御チャネル（Ｓ−ＤＰＣＣＨ）としても知られる）である。
【００５２】
例えば無線ネットワークノードがｅＮＢによって代表されるＬＴＥにおいて、、ｅＮＢは、ＳＲＳ構成パラメータ、即ち、ＳＲＳ周期性といった、電力制御に関連しないパラメータを適応させ得る。例えば、例えばユーザ機器１２０といった或るユーザ機器が大きなＲＰＤを経験する場合、ＳＲＳベースのプリコーディングは、それほど有用ではなく、即ち、ＳＲＳ上の、ＵＬで受信される信号の品質に基づいてプリコーディングパラメータを選択することは、それほど正確ではない。従って、システム容量の観点から、無線ネットワークノード１１０といったサービング無線ネットワークノードが、例えばユーザ機器１２０といった、より小さなＲＰＤを有するユーザ機器に、より多くのＳＲＳリソースを割り当てることが有益であり得る。従って、ｅＮＢは、小さなＲＰＤを有するユーザ機器が、より小さなＳＲＳ周期性と共に構成されることが可能であるように、大きなＲＰＤを有するＵＥのＳＲＳ周期性を増大させることができる。このようにして、ＳＲＳリソースは、より効率的に利用されることが可能になり、セルにおけるＵＬ干渉を低下もさせ得る。
【００５３】
［アクション３０６］
無線ネットワークノード１１０は、少なくとも１つのモード切り替えポイントを示す情報に基づいて、無線ネットワークノード１１０内に含まれる無線受信機１２３０の構成を適応させてもよい。無線受信機１２３０は、図１２に例示されている。
【００５４】
さらに他の実施形態において、ユーザ機器１２０にサービスする無線ネットワークノード１１０は、ＵＥモード切り替え情報に依存してＵＬ送信上の信号を復号するために、その受信機構成、例えば、その受信機に関するパラメータも調節し得る。例えば、任意のＵＬ送信上のユーザ機器のＲＰＤ又はＰＤがしきい値を上回る場合、無線ネットワークノード１１０は、このユーザ機器１２０により送信される信号を復号するために、よりロバストな受信機を使用する。よりロバストな受信機は、より低い信号品質で受信される信号を復号可能である。例えば、無線ネットワークノード１１０は、ユーザ機器１２０のＲＰＤ又はＰＤがしきい値よりも高いことをそのモード切り替え情報が叙述する当該ユーザ機器１２０により送信されるＵＬ信号を受信するために、より多くの受信アンテナを使用してもよい。
【００５５】
［アクション３０７］
無線ネットワークノード１１０は、ユーザ機器１２０と図４には示されていないさらなるネットワークノードとの間の送信のために情報を使用する当該さらなるネットワークノードへ当該情報を送信してもよい。
【００５６】
さらなるネットワークノードの例は、ＬＴＥにおけるｅＮｏｄｅＢ、ＨＳＰＡにおけるノードＢ及び無線ネットワークコントローラ（ＲＮＣ）など）といった隣接する無線ノード、ＬＴＥ）におけるモビリティ管理エンティティ（ＭＭＥ）ドライブ試験省力化（ＭＤＴ）ノード、運用及びメンテナンス（Ｏ＆Ｍ）、運用サポートシステム（ＯＳＳ）、自己組織化ネットワーク（ＳＯＮ）ノード、測位ノード、例えばＬＴＥにおけるＥ−ＳＭＬＣなど、といったコアネットワークノードである。例えばｅＮｏｄｅＢは、Ｘ２インタフェースを通じて他のｅＮｏｄｅＢへ、及びＬＰＰａを使用して測位ノードへ、情報をシグナリングし得る。
【００５７】
無線ネットワークノード１１０は、プロアクティブに、又は、他のネットワークノードから受信される明示的要求に応答して、この情報をシグナリングし得る。無線ネットワークノード１１０は、固有のシナリオ又は条件下で、例えば、ユーザ機器１２０のセル変更の時間において、この情報を他のノードへシグナリングしてもよい。
【００５８】
上に示される情報を受信する、さらなるネットワークノードは、無線動作タスク及び／又はネットワーク管理タスクのために当該情報を使用し得る。そうしたタスクの固有の例は、セル変更、例えばハンドオーバ（ＨＯ）、プライマリセル変更などの後における当該情報の使用、ネットワーク計画パラメータの調節又は構成、例えば、ネットワークノードにおけるアンテナモード、受信機タイプの選択などである。
【００５９】
例えば、セル変更の後、新たなサービングノードは、ＵＥモード切り替え、ＵＬ送信スキームの適応などに関する情報を再び取得する必要がない。
【００６０】
同様に、ＵＥモード切り替え統計を考慮するパラメータのチューニングは、ネットワーク性能全体を改善するであろう。その理由は、より低いＲＰＤ又はＰＤを有するＵＥに、より多くのリソースを割り振ることができるためである。
【００６１】
測位ノードは、ユーザ機器１２０のロケーションを決定するための適切な測位測定を選択するために、受信される情報を使用してもよい。例えば、ＵＥモード切り替えが、より高い損失又は劣化した性能を招く場合、当該測位ノードは、ユーザ機器１２０により送信される信号上で測定ノードが測位測定を実行することを必要としない測位測定を選択し得る。例えば、測位ノードは、ユーザ機器１２０により実行される、ＤＬ測位測定、例えば観測到達時間差（ＯＴＤＯＡ）リファレンス信号時間差（ＲＳＴＤ）を選択し得る。この理由は、ＵＬ送信上の、より高いＲＰＤ又はＰＤが、ＵＥ  Ｒｘ−Ｔｘ時間差、ＴＡ、基地局（ＢＳ）Ｒｘ−Ｔｘ時間差などのＵＬ測位測定の精度を劣化させかねないためである。同様に、測位ノードは、ＵＥモード切り替え特性に基づいて、測位測定／測位方法を適応させてもよく、又は選択してもよい。
【００６２】
ネットワークノードが性能、モデル、電力クラス、サポートされる帯域、サポートされるＲＡＴなどの情報をその他のネットワークノードへシグナリング又は転送する場合、その他のネットワークノードから、同じタイプの複数のユーザ機器からのモード切り替え情報を収集することができる。このことは、モード切り替え情報の精度を改善する助けとなり得る。
【００６３】
“ネットワークノードにおける、取得するＵＥモード切り替え情報及び／又はＵＬ適応を他のノードへ転送する方法”のセクションも参照されたい。
【００６４】
［アクション３１０］
ユーザ機器１２０は、少なくとも１つのモード切り替えポイントを示す情報を、無線ネットワークノード１１０へ送信してもよい。この態様で、無線ネットワークノード１１０は、少なくとも１つのモード切り替えポイントを示す情報を取得し、即ち受信し、例えばアクション３０２と併せて解説されるように、当該情報を使用し得る。
【００６５】
［アクション３１１］
いくつかの実施形態によれば、ユーザ機器１２０は、少なくとも１つのモード切り替えポイントを示す情報に基づいて、送信を自律的に適応させてもよい。
【００６６】
この実施形態によれば、ユーザ機器１２０は、少なくとも１つのモード切り替えポイントを示す情報、又は、ＵＬ送信についての、そのマルチステージ無線実装に関するモード切り替え情報を決定し、ＵＬで送信される信号がより高いＲＰＤを引き起こすことを回避するためにそのＵＬ送信を自律的に適応させる。このことは、転じて、サービング無線ネットワークノード１２０が、ユーザ機器により送信されるＵＬ信号を、より容易に受信し及び復号することを可能にするであろう。例えば、ユーザ機器は、１つ以上の予め定義されるルールに従って、上に開示されたＵＬ適応のうちの任意の１つ以上を適用することができる。
【００６７】
例えば、モード切り替えに関する或る条件が充足されるとき、例えば、いずれかのチャネル上のＲＰＤ又はＲＰがしきい値を上回るとき、例えば４０度よりも大きいときに、ユーザ機器１２０が或るＰＣパラメータを例えば或るレンジ内に適応させることが許容されることが、予め定義され得る。
【００６８】
他の例では、モード切り替えに関する条件が充足されるとき、例えば、いずれかのチャネル上のＲＰＤ又はＲＰがしきい値を上回るとき、例えば４５度よりも大きいときに、或るアンテナ送信モード間、例えば単一アンテナモードと多重アンテナモードとの間でユーザ機器１２０が適応することが許容されることが、予め定義され得る。
【００６９】
さらに他の例では、モード切り替えに関する条件が充足されるとき、例えば任意のチャネル上のＲＰＤ又はＰＤがしきい値を上回るとき、例えば５０度よりも大きいときに、或る物理チャネルの或るトランスポートフォーマット間で、例えば、ＬＴＥにおける物理アップリンク共有チャネル（ＰＵＳＣＨ）及びＨＳＰＡにおけるＥ−ＤＣＨ専用物理データチャネル（Ｅ−ＤＰＤＣＨ）について、ユーザ機器１２０が適応することが許容されることが、予め定義され得る。Ｅ−ＤＰＤＣＨは、拡張専用チャネル（Ｅ−ＤＣＨ）が構成されるときに使用される。
【００７０】
しきい値は、典型的には、予め定義されることが可能である。しかしながら、ネットワークノードがユーザ機器１２０のしきい値を構成してもよい。
【００７１】
無線ネットワークノード１１０は、ユーザ機器１２０がＵＬ送信を自律的に適応させることが許容されているか否かに関係なく、ユーザ機器１２０を明示的に構成してもよい。一例として、無線ネットワークノード１１０は、１つ以上の予め定義されるルールに従って、ユーザ機器１２０を明示的に構成し得る。
【００７２】
より一般的には、このことは、送信を適応させることが、少なくとも１つのモード切り替えポイントを示す情報に基づいて、送信に関する値を適応させることにより、実行され得ることを意味する。当該値は、上述のように、
送信に関する１つ以上の電力制御パラメータ、
送信に関するトランスポートフォーマット、
送信に関する、ユーザ機器１２０のＭＩＭＯ構成、
送信に関する、ユーザ機器１２０のアンテナモード、
送信に関するリファレンス信号構成、及び、
無線ネットワークノード１１０内に含まれる無線受信機１２３０の構成、
のうちの１つ以上を含み得る。
【００７３】
送信を適応させることは、送信の相対位相ズレがしきい値を超過したことを情報が示すときに実行されてもよい。
【００７４】
［アクション３１２］
ユーザ機器１２０は、適応させた送信に関する情報を無線ネットワークノード１１０へ送信してもよい。この態様において、無線ネットワークノード１１０は、ユーザ機器１２０が送信をいかに自律適応させたかに関して知らされ得る。よって、無線ネットワークノード１１０は、ユーザ機器１２０からの送信を復号させるときに、適応させた送信に関する情報を使用し得る。
【００７５】
ユーザ機器１２０は、無線ネットワークノード１１０、例えばＬＴＥにおけるｅＮＢ、並びに、ＨＳＰＡにおけるノードＢ及び／又はＲＮＣに対し、当該ユーザ機器１２０が、モード切り替えに起因してＵＬ送信を適応させたことを明示的に知らせてもよい。ユーザ機器１２０は、ネットワークノードに対し、ＵＬ送信の適応、例えば、ＵＬ  ＰＣパラメータ、ＵＬアンテナモードなどの適応に関する、実行されたアクションの詳細に関して知らせてもよい。ユーザ機器１２０は、ネットワークノードに対し、ＵＬ送信の適応の理由、例えば、ＲＰＤ及び／又はＰＤがしきい値を上回ることに起因していること、について知らせてもよい。ユーザ機器１２０は、或るタイプの適応について上記の情報をレポートし得る。ユーザ機器１２０は、上記の情報をログ記録し、或る時間ピリオドの後に、ネットワークへ、例えば、ネットワーク計画に関するタスクのために統計を使用し得るＭＤＴノードへ、統計をレポートしてもよい。ユーザ機器１２０は、プロアクティブに、又は、ネットワークノードから受信される明示的要求に応答して、この情報をレポートし得る。
【００７６】
ネットワークノードは、ユーザ機器１２０による、及び、いくつかのユーザ機器にもよる、ＵＬ送信の適応の統計を決定するために、ユーザ機器１２０からの、受信される情報を使用する。ネットワークノードは、次いで、ユーザ機器１２０における不必要な適応を最小化するために、ＵＬ送信に関するパラメータを適応させる。ネットワークノードは、ユーザ機器１２０により送信される信号であってより高いＲＰＤ又はＰＤを経験する当該信号をハンドリング可能な受信機タイプをも適応させてよい。
【００７７】
これらの及びその他の実施形態について、例示及び解説の目的のためだけに、無線通信チャネルを通じてユーザ機器又は“ＵＥ”とも称されるワイヤレス端末との間で通信する無線アクセスネットワーク（ＲＡＮ）において動作するコンテキストにおいて、ここで説明する。より具体的には、特定の実施形態は、３ＧＰＰ（3rd  Generation  Partnership  Project）のメンバーシップにより標準化されている通りの、ＬＴＥ技術及び／又は高速ダウンリンクパケットアクセス（ＨＳＤＰＡ）技術を使用するシステムのコンテキストにおいて説明される。しかしながら、ここでの実施形態が、概して、種々のタイプの通信ネットワークにおいて具現化され得ることが理解されるであろう。ここで使用される、モバイル端末、ワイヤレス端末、ユーザ機器、又はＵＥという用語は、通信ネットワークからデータを受信する任意のデバイスを指してよく、以下のものに限定されないが、携帯電話（“セルラ”電話）、ラップトップ／ポータブルコンピュータ、ポケットコンピュータ、手持ち式コンピュータ、及び／又は、デスクトップコンピュータ、デバイスツーデバイス通信対応可能デバイスを含み得る。
【００７８】
また、種々のコンテキストにおいて、例えば、ＮｏｄｅＢ、又はｅＮｏｄｅＢ、又はｅＮＢと称され得る“無線ネットワークノード”又は“基地局”、及び、しばしば“ＵＥ”、又は“ｅＵＥ”、又は“ユーザ機器”と称される“ワイヤレス端末”、“モバイル端末”、又は“ワイヤレスデバイス”といった専門用語の使用は非限定的と考えられるべきであり、通信リンクの２つの特定のノード間の或る階層関係を必ずしも示唆しているわけではないことにも留意されたい。一般に、基地局、例えば“ＮｏｄｅＢ”、及び、ワイヤレス端末、例えば“ＵＥ”は、ワイヤレス無線チャネルを通じて互いに通信する、それぞれの異なる通信デバイスの例として考えられてよい。ここで論じられる実施形態が、ＵＥからＮｏｄｅＢへのアップリンクにおけるワイヤレス送信に焦点を置き得る一方で、本発明の技法は、例えば、いくつかのコンテキストにおいてダウンリンク送信に適用されてもよい。その結果、以下に詳細に説明され、図３に描かれる受信機回路の修正バージョンを含む、いくつかの実施形態は、種々のワイヤレス端末、基地局、又はそれらの双方において使用するのに好適であり得る。当然ながら、アンテナ、アンテナインタフェース回路、無線周波数回路、並びに、その他の制御及びベースバンド回路を含む、付随する回路の詳細は、ここに開示される本発明の技法の固有の用途に依存して変動することが認識されるであろう。これら詳細が、ここでの実施形態の完全な理解に必要ではないことから、それら詳細は、概して、以下の論考及び添付の図面においては省略される。
【００７９】
数学的に、ＮＲ×ΝＴ物理チャネル行列、ΝＴ×Ｒプリコーディング行列、及びＮＲ×Ｒ等価チャネルが、それぞれＨ、Ｗ及びＥにより表記されるものとすると、以下のようになる。
Ｅ＝ＨＤＷ          （１）
ここでＤは、その対角要素が、送信機ブランチにより導入される絶対位相シフトを表すΝＴ×ΝＴ対角行列である。詳細には、ｉ番目の対角要素は、ｄｉ＝ｅｘｐ（ｊφｉ）として与えられる。等価チャネルＥがＳＲＳを通して取得される場合、Ｗは、単に単位行列として与えられるが、その理由は、ＳＲＳがプリコーディングされないためであり、Ｅは、ＤＭＲＳについてのプリコーディングされた等価チャネルとは対照的に、プリコーディングされていない等価チャネルと称される。
【００８０】
位相シフトについてより詳しく見てみよう。図１に戻ると、簡潔にするために、例えばユーザ機器１２０といった、２つの送信アンテナを有するＵＥを想定されたいが、以下の主張は、ユーザ機器１２０が３つ以上の送信アンテナを含むときのユーザ機器１２０にも等しく適用可能である。
【００８１】
送信機ブランチ＃１及び＃２の絶対位相をそれぞれφ１（ｔ）及びφ２（ｔ）により表記すると、ＲＰは、δφ（ｔ）＝φ１（ｔ）−φ２（ｔ）と定義される。次いで、ＲＰＤは、２つの時刻ｔ１とｔ２との間のＲＰの差、即ち、δφ（ｔ１）−δφ（ｔ２）と定義される。
【００８２】
送信機ブランチのＲＰＤは、典型的には、電力依存項及び時間依存項を含む。電力依存項は、送信電力に依存し、その一方で、時間依存項は、時間と共に変動する。モデリングの視点からは、電力依存項をその時点の送信電力の関数として与えることができ、その一方で、時間依存項を加法性確率過程（additive  random  process）として与えることができる。
【００８３】
電力依存ＲＰＤは主に、各送信機ブランチが利得／バイアス状態を切り替える手段であえる電力モード切り替え／構成モード切り替えに由来する。電力依存ＲＰＤの潜在的な起源は、以下のように要約されることが可能である。
・電力モード切り替え：多くの最先端のＰＡは、電力効率を改善するために、送信電力に従って電力モードを切り替える。格別の設計努力又は付加回路が無ければ、２つの送信機ブランチは、電力モード切り替えに対して異なる態様で応答する傾向を有し、それにより、切り替えポイントを横断して、ＲＰＤを結果的に生じる。
・構成モード切り替え：送信電力に依存して、ＲＦ／ＡＢＢは、電力消費を削減するために、利得切り替え、適応的バイアシング、信号経路切り替えなどにより特徴付けられる構成モードを切り替える。格別の設計努力又は付加回路が無ければ、２つの送信機ブランチが切り替えポイントを横断して異なる位相変動を経験する可能性がある。従って、送信機は、構成モード切り替えのケースにおいて、無視できないＲＰＤを経験する傾向を有する。
・ＡＭ−ＰＭ歪み：ＰＡは、典型的には、電力効率を最大化するために、コンプレッションポイントの付近で作動されることから、付加回路、例えばデジタル的な事前歪み無しでは、無視できないＡＭ−ＰＭ歪みを経験し得る。２つのＰＡデバイスは、僅かに異なるコンプレッションポイントを有し、僅かに異なる電力で動作し、異なる負荷条件下で動作する可能性がある。このことは、送信機ブランチにおいて異なる歪みを引き起こし、送信機は結果的に、無視できないＲＰＤを経験する傾向を有する。
【００８４】
プリコーダ選択に関して言えば、測定と、関連するプリコーディングとの間のＲＰＤが関心の対象である。ＳＲＳがプリコーダ選択についての当然の選択であることを想起すると、当該ＲＰＤは、プリコーダ選択のために使用されるＳＲＳ送信と、プリコーダを適用する後続のＰＵＳＣＨ送信との間のＲＰＤとみなすことができる。ワイヤレスチャネルがｅＮＢに完全に知られているときでさえも、ＲＰＤは、非最適なプリコーダ選択を招く恐れがある。このことは、非自明な性能損失を結果的に生じかねないが、その理由は、プリコーダ選択が、典型的には、送信機ブランチの位相情報に依拠するためである。
【００８５】
従って、関心の対象となる時間フレームは、ほぼ、数個又は数十個のサブフレームであるということになる。当該時間フレームは、例えば、測定及びプリコーダ選択、並びにＳＲＳ周期性に起因して、処理時間に依存する。例えば、処理時間が８ｍｓｅｃであり、ＳＲＳ送信のピリオドが１０ｍｓｅｃである場合、８ｍｓｅｃの最小及び１７ｍｓｅｃの最大が、時間フレームとして想定されるべきである。そうした時間フレームであるとすると、電力依存項は、ＲＰＤに対して、時間依存項よりもより大きな影響を有し、よって、この開示においては、電力依存項、即ち、電力依存項にいかに対処すべきか、に対して焦点が置かれる。
【００８６】
現在の送信電力をＰ（ｔ）により表記すると、ＴＸフロントエンドにより引き起こされる絶対位相シフトは、以下のように与えられる。
φ１（ｔ）＝ｆ１（Ｐ（ｔ））
φ２（ｔ）＝ｆ２（Ｐ（ｔ））          （２）
ここでｆ１（ｘ）及びｆ２（ｘ）は、２つの送信機ブランチについての絶対位相の電力依存性を表す。このことは、図４において例示されている。ＲＰの電力依存性をｆ１，２（ｘ）＝ｆ１（ｘ）−ｆ２（ｘ）と定義すると、対応するＲＰは、以下のように与えられる。
δφ（ｔ）＝ｆ１，２（Ｐ（ｔ））          （３）
【００８７】
このことは図５に示されている。換言すると、ＲＰは、現在の送信電力の関数として与えられる。同様に、ｔ１とｔ２との間のＲＰＤは、以下のように与えられる。
δφ（ｔ１）−δφ（ｔ２）
＝ｆ１，２（Ｐ（ｔ１））−ｆ１，２（Ｐ（ｔ２））          （４）
【００８８】
従って、ＲＰＤは、２つの時刻の送信電力の関数として与えられる。換言すると、それは、ＲＰＤを生じる送信電力変化である。例えば、送信電力が一定のままである場合、即ちＰ（ｔ１）＝Ｐ（ｔ２）である場合、ＲＰＤは存在しない。また、或るレベルの送信電力変化が与えられると、結果的に生じるＲＰＤがＲＰの電力依存性により決定されることも見出される。例えば、ＲＰが送信電力から独立しているとき、即ち、ｆ１，２（Ｐ）＝Ｃ（定数）であるとき、ＲＰＤは存在しない。
【００８９】
図６は、送信電力とＲＰとの間の関係の一例を示す。ＲＰがいくつかの送信電力レベル−以降では切り替えポイントと称する−を横断して、急激に変化することが示されている。
【００９０】
図６の例では、その電力レベルがＰＬＭ及びＰＭＨである２つの切り替えポイントが存在する。３つの動作モードが存在し、即ち、ＰＬＭを下回る動作モードは、低電力モード（ＬＰＭ）と呼ばれ、ＰＬＭとＰＭＨとの間の動作モードは、中間電力モード（ＭＰＭ）と呼ばれ、ＰＭＨを上回る動作モードは、高電力モード（ＨＰＭ）と呼ばれる。各モードは、それ自体のバイアス状態を有し、１つのバイアス状態の位相は、その他のバイアス状態の位相と必ずしも等しいわけではない。このことは、切り替えポイントを横断する、上述のＲＰ変化の正当な理由となる。換言すると、送信電力変化は、ユーザ機器１２０内に含まれる送信機のモード切り替えを引き起こし、ＳＲＳとＰＵＳＣＨとの間のモード切り替えは、転じて、ＲＰＤを引き起こす。
【００９１】
図７は、ＰＵＳＣＨ及びＳＲＳが異なる電力レベルで送信される典型的なケースを示す。第１のＳＲＳシンボル（ＳＲＳ１）は、時刻ｔＳ，１において電力レベルＰＳで送信され、第２のＳＲＳシンボル（ＳＲＳ２）は、時刻ｔＳ，２において電力レベルＰＳで送信される。ＰＵＳＣＨシンボル（ＰＵＳＣＨ）のうちの１つは、その間に、即ち、時刻ｔＰにおいて電力レベルＰＰで送信される。ＰＵＳＣＨ電力レベルがＳＲＳ電力レベルとは異なっていることから、ＳＲＳとＰＵＳＣＨとの間でＲＰＤが発生し得る。より詳しくは、当該シンボルの等価チャネルＥＳ，１、ＥＳ，２及びＥＰは、以下のように与えられ得る。
ＥＳ，１＝ＨＳ，１ＤＳ
ＥＳ，２＝ＨＳ，２ＤＳ
ＥＰ＝ＨＰＤＰ          （５）
ここでＨＳ，１、ＨＳ，２及びＨＰは、対応する物理チャネルを表し、ＤＳ及びＤＰは、対応する位相シフトを表す。２つのＳＲＳシンボルは、同じ位相シフトを経験するが、その理由は、当該２つのＳＲＳシンボルが同じ電力レベルを有するものと想定されるためである。図８に例示されるように、ＰＳ及びＰＰが１つの切り替えポイントの両側に存在するとき、換言すると、ＳＲＳ１（又はＳＲＳ２）及びＰＵＳＣＨが異なるモードで動作するときに、ＤＳ及びＤＰが異なることに留意することが重要である。このことは、ＳＲＳとＰＵＳＣＨとの間のＲＰＤを引き起こす。
【００９２】
プリコーダ選択が、一般に、送信機ブランチの位相情報により影響を受けることを想起されたい。よって、ＳＲＳとＰＵＳＣＨとの間のＲＰＤが、プリコーダ選択の最適性を有意に劣化させ得ることを理解することができる。
【００９３】
本開示の少なくとも１つの実施形態によれば、切り替えポイント情報のＵＥフィードバックに基づいて、ＳＲＳ送信電力又はＰＵＳＣＨ送信電力が選択され得る。切り替えポイント情報は、１つ以上の切り替えポイントの電力レベル及び位相値を含む。切り替えポイント情報は、単に、ＵＥのＰＡタイプであってもよく、それは例えばスイッチモードＰＡ又はエンベロープトラッキングＰＡなどである。切り替えポイント情報を取得するために、ＵＥは、ＲＰ特性を測定することを必要とするかもしれない。ｅＮＢは、ＵＥから切り替えポイント情報を一旦取得すると、ＲＰＤを低減させるために、ＳＲＳ送信電力又はＰＵＳＣＨ送信電力を選択する。ＳＲＳ送信電力は、ＳＲＳ電力オフセット又はＳＲＳ帯域幅を変更することにより調節されることが可能である。ＰＵＳＣＨ送信電力は、ＴＰＣコマンドを使用することにより調節されることが可能である。いくつかのここでの実施形態が先述の問題のうちのいくつかを解決するものの、それは常に、切り替えポイント情報のＵＥフィードバックに依拠している。ＵＥフィードバックが無ければ、ｅＮＢは、ＵＥのＲＰＤを低減させるために、ＳＲＳ送信電力又はＰＵＳＣＨ送信電力をいかに選択すべきかを見出すことができない。
【００９４】
単一のＵＬ送信アンテナのケースにおいて、ＰＤは、ＵＬ送信上、例えば、ＵＬ物理チャネル上などでも発生し得る。本実施形態は、ＲＰＤに加え、ＰＤにも適用可能である。
【００９５】
以下において、“ＵＥ”という用語は、適切であれば、ユーザ機器１２０を指し得る。
【００９６】
［無線ネットワークノードにおける、ＵＥモード切り替え情報を取得するための方法］
この方法は、ユーザ機器１２０にサービスする無線ネットワークノード１１０において主として実行される。ネットワークアーキテクチャ、情報を取得するためのメカニズム、技術のタイプなどに依存して、モード切り替え情報を取得する際に、２つ以上の無線ネットワークノード１１０が関与してもよい。例えばＬＴＥにおいて、当該方法は、ユーザ機器１２０にサービスするｅＮｏｄｅＢにおいて実行されることが可能である。ＨＳＰＡにおいて、当該方法は、ユーザ機器１２０にサービスするノードＢにおいて、又は、ユーザ機器１２０にサービスするノードＢ及びＲＮＣの双方において実行され得る。無線ネットワークノードのその他の例は、基地局、ＲＮＣ、リレー、ドナーノード、ＭＳＲノードなどである。
【００９７】
取得することという用語は、ネットワークノードが１つ以上の手段によりＵＥモード切り替え情報を決定し得ることを意味する。これら異なるメカニズム及び代替物について、以下に説明する。
【００９８】
［予め定義される情報に基づいて情報を取得すること］
まず、無線ネットワークノード１１０、例えばＬＴＥにおけるｅＮｏｄｅＢは、機器１２０内で記憶され、かつ、仕様においてＵＥベンダにより公表された切り替えポイント情報を含む、予め定義される情報に基づいて、モード切り替え情報を取得し得る。これは、ベンダ宣言（vendor  declaration）又は宣言された情報とも呼ばれ得る。ベンダ固有の切り替えポイント情報は、ＵＥのモデル及びリリースと共に変動し得る。ベンダ固有の切り替えポイント情報は、周波数帯域、ＲＡＴ、サポートされるＲＡＴの数、各ＲＡＴについてのＵＥの電力クラスなどにも依存し得る。
【００９９】
従って、無線ネットワークノード１１０、例えば、ｅＮｏｄｅＢ、ＢＳ、ノードＢ、ＲＮＣなどは、ＵＥの異なるタイプ、クラス、モデル、リリースなどについて、ＵＥの切り替えポイントに関する宣言された情報を格納することができる。従って、この情報は、ルックアップテーブル又はデータベースの形で無線ネットワークノード１１０内において維持されることが可能であり、特定のＵＥが無線ネットワークノード１１０によりサービスされるときに、当該特定のＵＥの切り替えポイントを決定するために使用されることが可能である。
【０１００】
従って、ＵＥが無線ネットワークノード１１０によりサービスされるとき、無線ネットワークノード１１０は、ＵＥのタイプ、クラス、リリースなどを識別する。無線ネットワークノード１１０は、ＵＥを識別した後に、識別されたＵＥに関する、予め定義される切り替えポイント情報を包含するルックアップテーブル（又はデータベース）をチェックする。
【０１０１】
ベンダ及びモデルが、ＵＥの国際モバイル加入者識別番号／国際モバイル機器識別番号（ＩＭＳＩ／ＩＭＥＩ）に基づいて、無線ネットワークノード１１０により把握されることが可能である旨に留意されるべきである。ネットワークは、無線リソース制御（ＲＲＣ）シグナリングに基づいて、リリースも特定することができる。ＵＥは、そのリリース、例えば、当該ＵＥがリリース１１をサポートしていることを、セットアップの期間中に、又はネットワークにより要求されたときに、無線ネットワークノード１１０へレポートする。サポートされる周波数帯域、ＲＡＴ、電力クラスといった追加的なＵＥ情報もまた、ｅＮＢにとって利用可能であり得る。例えば、ＵＥは、ネットワークに対し、そのサポートされる帯域、ＲＡＴ、電力クラスなどに関しても知らせる。無線ネットワークノード１１０は、履歴データに基づいてＵＥタイプを暗黙的に決定することさえしてもよい。例えば、ネットワーク内で同様の性能又は挙動を有するＵＥを一緒にグループ化することができ、それらを同じモード切り替えポイントを有するものと想定し得る。
【０１０２】
従って、無線ネットワークノード１１０は、識別されたＵＥの切り替えポイント情報に、適用可能な予め定義される切り替えポイント情報をマッピングすることができる。従って、無線ネットワークノード１１０は、最終的には、予め定義される情報から、固有のＵＥのモード切り替え情報を選ぶ。
【０１０３】
ＨＳＰＡのケースにおいて、切り替えポイント情報の決定は、ＲＮＣにおいて、当該ＲＮＣによりサービスされる各ＵＥについて実行されてもよい。ＲＮＣは、予め定義される切り替えポイント情報も維持し得る。ＲＮＣは、ＵＥについて切り替えポイント情報を決定した後、そのＵＥにサービスしているノードＢに対し、決定された切り替えポイント情報を知らせる。
【０１０４】
［測定に基づいて情報を取得すること］
他の実施形態によれば、サービング無線ネットワークノード１１０は、モード切り替え情報を取得するために、ＵＬ送信、例えば、ＳＲＳ、ＰＵＳＣＨ、パイロット信号などを測定して、それをＵＥからの電力ヘッドルームレポート（ＰＨＲ）に関連付けることもできる。ＰＨとしても知られるＰＨＲは、ｄＢスケールで表現された、ＵＥ最大電力とＵＥ送信電力との間の差である。ＵＬ送信の期間中に、ｅＮＢは、ＵＥのＲＰを測定することができる。例えば、連続する複数のＳＲＳ送信は、フェージングチャネルが静的なままである場合に、それらＳＲＳ送信の間でｅＮＢがＲＰを測定することを可能にする。複数のＳＲＳ送信の間でＳＲＳ送信電力が変化したことをＰＨＲが示すと、切り替えポイントの電力レベル及び位相値を見つけることができる。
【０１０５】
無線ネットワークノード１１０は、ＵＥのモード切り替え情報を決定し、同じ情報を、その他の同様のＵＥ、即ち、性能、モデル、電力クラス、サポートされる帯域、サポートされるＲＡＴなどの観点で同じタイプのＵＥについて使用してもよい。従って、切り替えポイント情報は、或る数のＵＥについて無線ネットワークノード１１０により決定されることが可能であり、ノード内で記憶されて、今後、例えばスケジューリングなどのために、同じ及び同様のタイプのＵＥについて使用されることが可能である。
【０１０６】
同様に、無線ネットワークノード１１０は、同じタイプのＵＥからモード切り替え情報を収集することが可能である。このことは、モード切り替え情報の精度を改善することを助ける。例えば、一方のＵＥが、１つの切り替えポイントを横切るＳＲＳ送信電力を有し、同じタイプの他方のＵＥが、他の切り替えポイントを横切るＳＲＳ送信電力を有するとき、同じタイプのＵＥについて、これら２つの切り替えポイントについての情報を取得することができる。換言すると、異なるモードで動作する同じタイプのＵＥから測定を収集することにより、当該タイプのＵＥの完全なモード切り替え情報を取得することができる。このことは、ＳＲＳ送信電力がそれほど迅速には変化せず、単一のＵＥの測定から完全なモード切り替え情報を取得することが事実上不可能であるときに、有用であり得る。
【０１０７】
［ＵＬ送信電力レンジをスキャンすることに基づいて情報を取得すること］
この実施形態によれば、無線ネットワークノード１１０は、関心の対象となる送信電力レンジをスキャンし、対応するＲＰを測定することによって、モード切り替え情報を取得し得る。例えば、ｅＮＢは、ＳＲＳ送信電力を単調にランプアップ（ramp  up）させ、対応するＲＰを測定する。ＳＲＳ送信電力が最小送信電力から最大送信電力に及ぶ場合、完全な切り替えポイント情報を捕捉することが可能である。代替的に、ｅＮＢは、ＳＲＳ送信電力を単調にランプダウンさせて、対応するＲＰ、即ち、最大ＵＥ送信電力から最小ＵＥ送信電力までを測定し得る。無線ネットワークノード１１０は、セルにおいて低アップリンクトラフィックが存在するとき、及び／又はＵＥがデータを何ら送信していないときに、この手続を適用し得る。このようにして、ネットワークは、相応のリソースを割り振ることにより、モード切り替え情報をより正確に決定することができる。
【０１０８】
ＳＲＳ送信電力をランプアップ／ランプダウンさせるいくつかの方式が存在するが、その理由は、ＳＲＳ送信電力が、ＳＲＳ帯域幅及び所望のターゲットＳＮＲ値などといったパラメータにより左右されるためである。例えば、ＳＲＳ帯域幅を変更することにより、電力のランプアップ／ランプダウンを遂行することができる。非周期的なＳＲＳが使用される場合、そうした電力のランプアップ／ランプダウンがサブフレーム毎のベースで遂行されることが可能である旨に留意されたい。
【０１０９】
上述の電力ランプアップ／ランプダウンの電力ステップは、ＳＲＳリソースの量を左右する。必要とされるＳＲＳリソースを削減するために、無線ネットワークノード１１０は、宣言される情報に基づいて、電力ステップを選択することができる。例えば、無線ネットワークノード１１０は、２つの切り替えポイント間の近似電力レベル差を把握することができる場合、それに応じて電力ステップを調節することができる。
【０１１０】
無線ネットワークノード１１０は、スキャンすることによってＵＥのモード切り替え情報を決定し、当該同じ情報を、その他の同様のＵＥ、即ち、性能、モデル、電力クラス、サポートされる帯域、サポートされるＲＡＴなどの観点で同じタイプのＵＥについて使用してもよい。従って、切り替えポイント情報は、スキャンすることに基づいて、或る数のＵＥについて無線ネットワークノード１１０により決定されることが可能であり、ノード内で記憶され、今後、例えばスケジューリングなどのために、同じ及び同様のタイプのＵＥについて使用されることが可能である。
【０１１１】
同様に、無線ネットワークノード１１０は、同じタイプのＵＥからモード切り替え情報を収集することが可能である。このことは、モード切り替え情報の精度を改善することを助ける。例えば、無線ネットワークノード１１０が１つのＵＥについての送信電力レンジの前半をスキャンし、同じタイプの他のＵＥについての送信電力レンジの後半をスキャンすると、同じタイプのＵＥについてのこれら送信電力レンジについての情報を取得することができる。換言すると、異なるモードで動作する同じタイプのＵＥから電力ランプアップ／ランプダウンを収集することにより、当該タイプのＵＥの完全なモード切り替え情報を取得することができる。このことは、各ＵＥに専用のＳＲＳリソースが、全送信電力レンジをスキャンするには充分ではなく、単一のＵＥの電力ランプアップ／ランプダウンから完全なモード切り替え情報を取得することが事実上不可能であるときに、有用であり得る。
【０１１２】
無線ネットワークノード１１０がＲＰＤをさらに低減させることを企図する場合、モード切り替え情報が同じタイプのその他のＵＥから利用可能であるときでさえも、当該無線ネットワークノード１１０は、各ＵＥについての送信電力レンジをスキャンすることを望むかもしれない。このケースにおいて、同じタイプのその他のＵＥから取得されるモード切り替え情報は、同じタイプのＵＥの電力ランプアップ／ランプダウンについての電力ステップを最適化するために、例えば、初期情報として使用されることが可能である。
【０１１３】
［ＵＥからの明示的標識に基づいて情報を取得すること］
さらに他の実施形態によれば、無線ネットワークノード１１０は、ＵＥからの明示的標識に基づいてモード切り替え情報を取得する。このケースにおいて、ＵＥに格納される予め特定された情報を包含し得るモード切り替え情報を、当該ＵＥから無線ネットワークノード１１０により獲得することが可能であり、代替的に、無線ネットワークノード１１０がモード切り替え情報を要求したときに、又は、ＵＥがモード切り替え情報を無線ネットワークノード１１０へ送信しなければならないときに、ＵＥは、まずモード切り替え情報を取得するために、或る無線測定を実行する。次のステップにおいて、ＵＥは、特定されたモード切り替え情報を、無線ネットワークノード１１０へレポートする。例えば、ＵＥは、モード切り替え情報を特定するために、ＵＬ送信電力といった測定を実行し得る。例えば、無線ネットワークノード１１０が同じタイプのＵＥからモード切り替え情報を取得可能であり、かつ、同じタイプのその他のＵＥについて当該情報を再利用することを望むときに、そうしたネットワークトリガ型ＵＥ測定及びレポートがＵＥ電力消費を削減することを助け得る。
【０１１４】
ＵＥは、異なるＲＡＴ、帯域、ＵＥ電力クラスなどについて固有であり得るモード切り替え情報をシグナリングし得る。例えば、ＵＥがＬＴＥ及びＨＳＰＡをサポートしている場合、当該ＵＥは、各ＲＡＴについてのモード切り替え情報をレポートし得る。代替的に、ＵＥは、全てのＲＡＴについての１つの共通のモード切り替え情報をレポートし得る。
【０１１５】
ＵＥは、以下の態様のいずれかにおいて、モード切り替え情報を無線ネットワークノード１１０へ送信し得る。
○無線ネットワークノード１１０、例えばサービングネットワークノード又は何らかのターゲットネットワークノードから何らの明示的要求を受信することなく、プロアクティブにレポートすること。
○無線ネットワークノード１１０、例えばサービングネットワークノード又は何らかのターゲットネットワークノードから何らかの明示的要求を受信すると、レポートすること。
○明示的要求は、いつでも、又は何らかの特定の機会に、ネットワークによりＵＥへ送信されることが可能である。例えば、モード切り替え情報のレポーティングを求める要求を、初期セットアップの期間中に、又は、セル変更、例えばハンドオーバ、ＲＲＣ接続再確立、リダイレクションを伴うＲＲＣ接続開放、ＣＡにおけるＰＣｅｌｌ変更、ＰＣＣにおけるＰＣＣ変更などの後に、ＵＥへ送信することが可能である。
【０１１６】
プロアクティブなレポーティングのケースにおいて、ＵＥは、以下の機会のうちの１つ以上の期間中に、そのモード切り替え情報をレポートし得る。
○  初期セットアップ又は呼のセットアップの期間中、例えば、ＲＲＣ接続の確立時
○  セル変更の期間中、例えばハンドオーバ、マルチキャリア動作におけるプライマリキャリア変更、マルチキャリア動作におけるＰＣｅｌｌ変更、ＲＲＣ再確立、リダイレクションを伴うＲＲＣ接続開放などの期間中
○  ＵＬ送信モード変更の期間中、例えば、ＵＥが単一アンテナモードから多重アンテナモードへと移動するとき。
【０１１７】
ＵＥからモード切り替え情報を受信する無線ネットワークノード１１０は、受信される情報を記憶してよく、自身のモード切り替え情報をシグナリングしない同様のＵＥについても、当該受信される情報を使用してよい。
【０１１８】
同様のＵＥという用語は、性能、モデル、電力クラス、サポートされる帯域、サポートされるＲＡＴなどの観点で同じタイプのＵＥを示唆する。ＵＥ間の類似性は、先述のメカニズムを使用して、例えば、予め定義される情報を通して情報を取得する方法により、判定されることが可能である。同様のＵＥのタイプは、同じモード切り替えケイパビリティを有するものと予期される。このアプローチは、シグナリングオーバーヘッドも低減させるが、その理由は、必ずしも全てのＵＥが、それら自体のモード切り替え情報を無線ネットワークノード１１０へシグナリングする必要がないためである。
【０１１９】
［マルチＲＡＴ  ＵＥにおける共通無線機に基づいて情報を取得すること］
この実施形態によれば、無線ネットワークノード１１０は、上で開示された方法のいずれかを使用して、或るＲＡＴ、例えばＬＴＥについてＵＥのモード切り替え情報を取得し得る。このＲＡＴをリファレンスＲＡＴと呼ぶことにする。無線ネットワークノード１１０は、次いで、当該ＵＥが他のＲＡＴ上で動作するときに、当該ＵＥの無線送信機性能を観測する。無線送信機性能の例は、ＵＥ最大出力電力の精度又は許容値（tolerance）である。２つのＲＡＴ上の性能が同じであるか、又は同様である場合、ネットワークは、双方のＲＡＴについて、同じモード切り替え情報が適用可能であるものと想定し得る。例えば、マルチＲＡＴ（ＨＳＰＡ／ＬＴＥ）ＵＥのＬＴＥ部分のみが、そのモード切り替え情報を、無線ネットワークノード１１０へ明示的に示すかもしれない。しかしながら、ＨＳＰＡ及びＬＴＥは、共通無線機を使用してよく、従って、モード切り替え情報は、双方のＲＡＴについて同じであり得る。
【０１２０】
［無線ネットワークノードにおける、取得されるＵＥモード切り替え情報に基づいてＵＬ送信を適応させる方法］
無線ネットワークノード１１０は、ＵＥモード切り替え情報を決定すると、ＵＬ性能を改善するために、例えば、無線ネットワークノード１１０におけるＵＬ受信品質、無線ネットワークノード１１０におけるＵＬ検出性能などを改善するために、ＵＥのＵＬ送信を適応させる。例えば、全てのＵＥが例えばエンベロープトラッキングＰＡといったマルチステージＰＡを有しているとは限らないかもしれず、従って、ＵＥが信号をアップリンクにおいて送信する際にそのＵＥについてはモード切り替えが存在しない。従って、無線ネットワークノード１１０は、モード切り替えを行うＵＥであってそのモード切り替え情報が利用可能であるＵＥのＵＬ送信のみを適応させる。
【０１２１】
ＵＬにおいてＵＥにより送信される信号の適応の例を、以下のセクションにおいて提供する。無線ネットワークノード１１０は、これら適応のうちの１つ又は組み合わせを適用し得る。
【０１２２】
［ＵＬ電力制御パラメータの適応］
ＵＥにサービスするサービング無線ネットワークノードは、典型的には、ＵＬで受信される信号の品質に基づいて、このＵＥについてのＵＬ  ＰＣパラメータを選択する。しかしながら、この実施形態によれば、無線ネットワークノード１１０は、ＵＬ  ＰＣパラメータを選択するときに、ＵＥのモード切り替え情報も考慮する。
【０１２３】
従って、この例示的な実施形態において、ＵＬ送信の適応は、無線ネットワークノード１１０により構成される、電力制御に関するパラメータ、例えば、ＴＰＣコマンド、ＳＲＳ又はＰＵＳＣＨ帯域幅といったリソース割り当て、ＳＲＳ電力オフセットなどの適応を含む。一例として、リソース割り当てに関するパラメータは、ＵＬスケジューリンググラントとしても知られるＵＬグラント、又はＵＬにおいて割り振られるリソースなどであり得る。非周期的なＳＲＳが様々なパラメータと共に構成される場合、パラメータ、例えば、ＳＲＳ構成に関するパラメータのうちのいくつかは、サブフレーム毎の基準で適応させることが可能である。
【０１２４】
適応させることが可能なこれらＵＬ  ＰＣパラメータは、ＵＥへシグナリングされ、当該ＵＥにサービスするネットワークにより更新されることが可能である。例えば、切り替えポイントの電力レベルを所与とすると、ネットワークは、ＵＬ  ＰＣに関する１つ以上のパラメータを調節することが可能である。このことは、転じて、ＳＲＳとＰＵＳＣＨとの間でモード切り替えが無いようにＵＥがＳＲＳ送信電力又はＰＵＳＣＨ送信電力を適応させることを可能にすることができる。明らかに、このことは、ＲＰＤを低減させることを助け得る。加えて、切り替えポイントの位相値を所与とすると、ＲＰＤのさらなる最適化が可能である。電力制御式の入力引数として使用される任意のパラメータが、ＵＬ送信の適応に内包されることが可能である旨に留意されたい。
【０１２５】
［ＵＥにおける、ＵＥモード切り替えに対処するためにＵＬ送信を自律適応させる方法
この実施形態によれば、ＵＥは、ＵＬで送信される信号がより高いＲＰＤを引き起こすことを回避するために、ＵＬ送信についてのそのマルチステージ無線実装に関するモード切り替え情報を決定し、そのＵＬ送信を自律的に適応させる。このことは、転じて、サービングノードが、ＵＥにより送信されるＵＬ信号を、より容易に受信及び復号することを可能にするであろう。例えば、ＵＥは、１つ以上の予め定義されるルールに従って、上に開示されたＵＬ適応のうちのいずれか１つ以上を適用することができる。
【０１２６】
［無線ネットワークノードにおける、取得するＵＥモード切り替え情報及び／又はＵＬ適応を他のノードへ転送する方法］
この実施形態によれば、無線ネットワークノード１１０は、以下のものに関する、任意の情報、パラメータ、結果又は統計を、他のネットワークノードへシグナリングし又は転送する。
・ＵＥモード切り替えを他のネットワークノードへ、及び／又は、
・例えば、ＵＥモード切り替えに対処することによるＵＬ送信の適応
【０１２７】
例えば、他のノードへ転送される情報は、例えばアクション３０１によって無線ネットワークノードにより取得されるいかなる情報を含んでもよい。
【０１２８】
通信受信機の設計に精通している者らによりたやすく理解されるように、図３のいくつかの機能ブロックだけでなく、その他の受信機回路からの１つ以上の機能は、デジタルロジック及び／又は１つ以上のマイクロコントローラ、マイクロプロセッサ、若しくはその他のデジタルハードウェアを使用して実装されてよい。いくつかの実施形態において、図３の受信機回路の種々の機能のうちのいくつか又は全ては、単一の特定用途向け集積回路（ＡＳＩＣ）内、又は、それらの間に適切なハードウェアインタフェース及び／若しくはソフトウェアインタフェースを有する２つ以上の別個のデバイス内にといったように、共に実装され得る。図３の受信機回路の機能ブロックのうちのいくつかは、ワイヤレス端末のその他の機能コンポーネントと共有されるプロセッサ上に実装されてよい。
【０１２９】
代替的に、上で論じた受信機処理回路の機能要素のうちの或るものは、専用ハードウェアの使用を通して提供されてもよく、一方、また或るものは、適切なソフトウェア又はファームウェアと関連付けて、ソフトウェアを実行するためのハードウェアと共に提供される。よって、ここで使用される“プロセッサ”又は“コントローラ”という用語は、ソフトウェアを実行可能なハードウェアを排他的に指すのではなく、限定することなく、デジタル信号プロセッサ（ＤＳＰ）ハードウェア、ソフトウェアを格納するための読み出し専用メモリ（ＲＯＭ）、ソフトウェア及び／又はプログラム若しくはアプリケーションデータを格納するためのランダムアクセスメモリ、並びに不揮発性メモリを暗黙的に含んでよい。従来の及び／又は特化された、その他のハードウェアが含まれてもよい。通信受信機の設計者は、これら設計の選択に内在する、コスト、性能、及びメンテナンスのトレードオフを認識するであろう。
【０１３０】
［測位の概要］
ワイヤレスデバイス又はＵＥ、モバイルリレー、ＰＤＡなどのいずれかであり得るターゲットデバイスのロケーションを決定するためのいくつかの測位方法が存在する。ターゲットデバイスの位置は、適切な測定ノード又はデバイスにより実行されることが可能な１つ以上の測位測定を使用することによって決定される。測位に依存して、測定ノードは、ターゲットデバイス自体、別個の無線ノード（即ち、スタンドアロン式ノード）、ターゲットデバイスのサービングノード及び／又は隣接するノードなどのいずれかであり得る。測位方法にも依存して、測定は、１つ以上のタイプの測定ノードにより実行されることが可能である。
いくつかの例示的な測位方法は、以下の通りである。
・衛星ベースの方法：このケースにおいて、ナビゲーション衛星から受信される信号上でターゲットデバイスにより実行される測定がターゲットデバイスのロケーションを決定するために使用される。ＵＥ位置を決定するために、例えば、ＧＮＳＳ又はＡ−ＧＮＳＳ（例えば、Ａ−ＧＰＳ、Ｇａｌｉｌｅｏ、ＣＯＭＰＡＳＳなど）測定のいずれかが使用される。
・観測到達時間差（ＯＴＤＯＡ）：この方法は、ＬＴＥにおけるＵＥ位置又はＨＳＰＡにおけるＳＦＮ−ＳＦＮタイプ２を決定するために、無線ノードからの信号の到達時間差に関するＵＥ測定、例えばユーザ機器リファレンス信号時間差（ＵＥ  ＲＳＴＤ）測定を使用する。
・アップリンク到達時間差（ＵＴＤＯＡ）：この方法は、測定ノード、例えば、ロケーション測定ユニット（ＬＭＵ）において、ＵＥにより送信される信号に対して行われる測定を使用する。ＬＭＵ測定は、ＵＥ位置を決定するために使用される。
・拡張セルＩＤ：この方法は、ＵＥ位置を決定するための測定のうちの１つ以上、例えば、ＵＥ位置を決定するための、ＵＥ  Ｒｘ−Ｔｘ時間差、ＢＳ  Ｒｘ−Ｔｘ時間差、タイミングアドバンス、ＬＴＥ  ＲＳＲＰ／ＲＳＲＱ、ＨＳＰＡ  ＣＰＩＣＨ測定（ＣＰＩＣＨ  ＲＳＣＰ／Ｅｃ／Ｎｏ）、到来角（ＡｏＡ）などの任意の組み合わせを使用する。
・ハイブリッド方法：この方法は、ＵＥ位置を決定するための２つ以上の測位方法を使用して取得される測定に依拠する。
【０１３１】
ＬＴＥにおいて、発展型サービングモバイルロケーションセンター（Ｅ−ＳＭＬＣ）又はロケーションサーバとしても知られる測位ノードは、測位方法に依存して１つ以上の測位測定を実行するために、ＵＥ、ｅＮｏｄｅＢ又はＬＭＵを構成する。測位測定は、ＵＥにより、又は測定ノードにより、又は測位ノードにより、ＵＥロケーションを決定するために使用される。ＬＴＥにおいて、測位ノードは、ＬＴＥ測位プロトコル（ＬＰＰ）というプロトコルを使用してＵＥとの間で通信し、ＬＴＥ測位プロトコルＡ（ＬＰＰａ）というプロトコルを使用してｅＮｏｄｅＢとの間で通信する。
【０１３２】
この開示では、ここでの実施形態を例示するために、３ＧＰＰ（Third  Generation  Partnership  Project）ＬＴＥ（Long  Term  Evolution）のアップリンクチャネルが想定されているが、このことは、添付の特許請求の範囲により定義されるような範囲を上述のシステムのみに限定するものとみなされるべきではない。広帯域符号分割多重アクセス（ＷＣＤＭＡ）、高速パケットアクセス（ＨＳＰＡ）、ユニバーサル地上無線アクセス（ＵＴＲＡ）周波数分割デュプレックス（ＦＤＤ）、ＵＴＲＡ時間分割デュプレックス（ＴＤＤ）、ＷｉＭａｘ、ウルトラモバイルブロードバンド（ＵＭＢ）、ＧＳＭ（Global  System  for  Mobile  Communication）、ＧＳＭ  ＥＤＧＥ（GSM  Enhanced  Data  Rates  for  GSM  Evolution）無線アクセスネットワーク（ＧＥＲＡＮ）、及び、ワイヤレスローカルエリアネットワーク（ＷＬＡＮ）を含めた、その他のワイヤレスシステムが、本開示の中で提示されるアイディアを活用することから恩恵を受け得る。
【０１３３】
ｅＮＢ及びＵＥといった専門用語は、非限定的であると考えられるべきであり、２つのものの間における、或る階層関係を示唆しない。一般に、“ｅＮＢ”は、デバイス１と考えられてもよく、“ＵＥ”はデバイス２と考えられてもよく、これら２つのデバイスは、何らかの無線チャネルを通じて互いに通信する。
【０１３４】
ここでの実施形態は、任意のタイプの無線ネットワークノード、例えば、基地局、ｅＮｏｄｅＢ、マルチスタンダード無線（ＭＳＲ）無線ノード、ノードＢ、アクセスポイントリレー、リレーにサービスするか、又はリレーを制御するドナーノードなどに適用可能である。同様に、ここでの実施形態は、任意のタイプのユーザ機器、例えば、ターゲットデバイス、モバイル端末、ワイヤレス端末、マシンタイプ通信用に使用されるワイヤレス端末、デバイスツーデバイス通信用に使用されるワイヤレスデバイスなどに適用可能である。
【０１３５】
送信ダイバーシティが、アップリンクにおいて使用されることも可能な、多重入力多重出力（ＭＩＭＯ）送信スキームの特別なケースとみなされることが可能である旨に留意されるべきである。よって、この開示の主な焦点はアップリンク送信ダイバーシティに置かれているものの、概念は、任意のＭＩＭＯスキームに拡張可能又は適用可能である。ここでの実施形態は、マルチポイントキャリアアグリゲーションシステムにも適用され、即ち、ＣＡにおける、又は、ＣｏＭＰと組み合わされたＣＡなどにおける、各ＣＣに適用可能である。本実施形態は、ＣＡ及び／又はＣｏＭＰにおける各ＣＣ上の送信に適用可能である。
【０１３６】
［ＭＩＭＯ送信］
ＭＩＭＯは、ＬＴＥ（Long  Term  Evolution）及び高速パケットアクセス（ＨＳＰＡ）といった多くのワイヤレス通信技術についての高速ワイヤレス通信のためのエアインタフェースの重要な要素である。ＭＩＭＯは、レイヤとして知られている複数個のストリームの同時送信を可能にすることによって多重化利得を提供するために、チャネルにおいてダイバーシティを使用することができる。ＬＴＥ及びＨＳＰＡにおいて、ＭＩＭＯは、ダウンリンク（ＤＬ）及びアップリンク（ＵＬ）の双方で使用され、それぞれＤＬ  ＭＩＭＯ及びＵＬ  ＭＩＭＯとしても知られる。
【０１３７】
送信アンテナ、受信アンテナ、及びレイヤの数を、それぞれＮＴ、ＮＲ及びＲで表記すると、Ｒは、ＮＴよりも決して大きくならない（また、しばしば、ＮＲ以下である）。ＭＩＭＯの１つの考え得る実装は、図９及び図１０に例示される、行列の予め定義されるセット、いわゆるコードブックから選ばれるプリコーディング行列（ＮＴ×Ｒ）による、レイヤ信号ベクトル（Ｒ×１）の左からの積（left-multiplication）として数学的にしばしば表現されるプリコーダを使用する。各プリコーディング行列は、ランクインジケータ（ＲＩ）及びプリコーディング行列インジケータ（ＰＭＩ）によりインデックス付けされる。（プリコーディング行列のｒ番目の列ベクトルが、ｒ番目のレイヤのアンテナ拡散重みを表すことに留意されたい。）プリコーディング行列は、通常、線形独立した列から成り、よってＲは、コードブックのランクと称される。この種のプリコーダの１つの目的は、受信される信号の電力を増大させるために、及び、レイヤ間干渉を或る程度まで低減させ、それによって各レイヤの信号対干渉雑音比（ＳＩＮＲ）を改善するために、プリコーディング行列をチャネル状態情報（ＣＳＩ）と一致させることである。ＤＬにおいて、ＣＳＩは、ＤＬ無線信号（例えばリファレンス信号）上でＵＥにより測定又は推定され、サービング無線ノードへレポートされる。ＵＬにおいて、ＣＳＩは、ＵＥにより送信されるＵＬ信号（例えばリファレンス信号）上でサービング無線ノードにより測定又は推定される。ＵＬ  ＣＳＩの１つの例は、ＵＬ  ＳＩＮＲなどである。ＬＴＥにおけるＤＬ  ＣＳＩの例は、ＣＱＩ、ＲＩ及びＰＭＩである。ＨＳＰＡにおけるＤＬ  ＣＳＩの例は、ＣＱＩ及びプリコーディングインジケータ（ＰＣＩ）である。結果的に、プリコーダ選択は、送信機がチャネルのプロパティを認知していることを必要とし、概して言えば、ＣＳＩが正確であればあるほど、プリコーダの一致がより良好となる。
【０１３８】
３ＧＰＰ  ＬＴＥ  ＵＬのケースにおいて、プリコーダ選択は、ｅＮＢといった受信機により行われ、それにより、チャネル情報を送信機にフィードバックする必要がなくなる。ここで、プリコーダ選択は、この開示全体にわたり、ランク選択だけではなく、プリコーディング行列選択も含む。むしろ、受信機は、チャネル情報を取得することが必要であり、このことは通常、既知信号、ＬＴＥ  ＵＬのケースにおいては復調リファレンス信号（ＤＭ−ＲＳ）及びサウンディングリファレンス信号（ＳＲＳ）、を送信することにより容易化されることが可能である。ＤＭ−ＲＳ及びＳＲＳの双方はいずれも、周波数ドメインにおいて定義され、Ｚａｄｏｆｆ−Ｃｈｕ系列から導出される。しかしながら、ＤＭ−ＲＳがプリコーディングされる一方で、ＳＲＳがプリコーディングされないことから、ＤＭ−ＲＳから取得されるチャネル情報は、Ｒ個のレイヤが経験する等価チャネルであって、ＮＴ個のアンテナが経験する物理チャネルではない。従って、プリコーダ選択は、ＳＲＳに基づいていることが好ましく、その理由は、ＳＲＳを通して物理チャネルを取得することができるためである。
【０１３９】
アップリンク送信ダイバーシティは、ＵＬマルチアンテナ送信の特別なタイプでもある。アップリンク送信ダイバーシティは、ＬＴＥについて仕様化されており、リリース１１においてはＨＳＰＡについて仕様化されている。
【０１４０】
ベースラインの及び典型的なＵＥ実装は、全てのタイプのアップリンク送信用に使用される単一のアップリンク送信アンテナを含む。
【０１４１】
しかしながら、ハイエンドのＵＥは、アップリンク送信用に複数のアップリンク送信アンテナを有し及び使用し得る。このことは、通例、アップリンク送信ダイバーシティと称される。送信ダイバーシティでの送信の目標は、より高いアップリンクデータレート及びより低いＵＥ送信電力を、空間ダイバーシティ、角度ダイバーシティ、及び時間ダイバーシティによって達成することである。
【０１４２】
最も一般的なアップリンク送信ダイバーシティは、２つのアップリンク送信アンテナから成る。２つ以上のアップリンク送信ダイバーシティアンテナからの信号は、それらの位相、振幅、電力などの観点において異なる態様で送信され得る。このことは、異なるアップリンク送信ダイバーシティスキームを生じる。いくつかの例示的なスキームは以下の通りである。
・送信ビームフォーミング開ループ
・送信ビームフォーミング閉ループ
・切り替えアンテナアップリンク送信ダイバーシティ開ループ
・切り替えアンテナアップリンク送信ダイバーシティ閉ループ
・時空間送信ダイバーシティ
【０１４３】
［マルチキャリア又はキャリアアグリゲーションの概念］
１つの技術内においてピークレートを高めるために、マルチキャリア又はキャリアアグリゲーションが使用され得る。例えば、ＨＳＰＡネットワーク内でピークレートを高めるために、ＨＳＰＡにおいては、複数個の５ＭＨｚキャリアを使用することができる。同様に、ＬＴＥにおいては、ＵＬにおいて、及び／又はＤＬ上において、例えば複数個の２０ＭＨｚキャリアか、又は、より小さなキャリア（例えば５ＭＨｚ）でさえも、統合されることが可能である。マルチキャリア又はキャリアアグリゲーションシステムにおける各キャリアは一般に、コンポーネントキャリア（ＣＣ）と呼称され、又は、時としてセルとも称される。簡単に言うと、ＣＣは、マルチキャリアシステムにおける個々のキャリアを意味する。キャリアアグリゲーション（ＣＡ）という用語は、“マルチキャリアシステム”、“マルチセル動作”、“マルチキャリア動作”、“マルチキャリア”送信及び／又は受信とも呼ばれる（例えば、互換可能に呼ばれる）。このことは、ＣＡがアップリンク方向及びダウンリンク方向におけるシグナリング及びデータの送信用に使用されることを意味する。ＣＣのうちの１つは、プライマリコンポーネントキャリア（ＰＣＣ）、又はプライマリキャリア、又はアンカーキャリアである。残りのＣＣは、セカンダリコンポーネントキャリア（ＳＣＣ）、又はセカンダリキャリア、又は補足キャリアと呼ばれる。一般に、プライマリＣＣ又はアンカーＣＣは、必須のＵＥ固有のシグナリングを搬送する。プライマリＣＣは、アップリンク方向及び方向の双方のＣＡにおいて存在する。ネットワークは、同じセクタ又はセル内で動作する異なるＵＥに対し、異なるプライマリキャリアを割り振ってもよい。
【０１４４】
従って、ＵＥは、ダウンリンク及び／又はアップリンクにおいて、２つ以上のサービングセル、即ち、それぞれＰＣＣ及びＳＣＣ上で動作する、１つのプライマリサービングセルと１つ以上のセカンダリサービングセルとを有する。サービングセルは、プライマリセル（ＰＣｅｌｌ）又はプライマリサービングセル（ＰＳＣ）と互換可能に呼ばれる。同様に、セカンダリサービングセルは、セカンダリセル（ＳＣｅｌｌ）又はセカンダリサービングセル（ＳＳＣ）と互換可能に呼ばれる。専門用語にかかわらず、ＰＣｅｌｌ及びＳＣｅｌｌは、ＵＥがデータの受信及び／又は送信を行うことを可能にする。より詳しくは、ＰＣｅｌｌ及びＳＣｅｌｌは、ＵＥによるデータの受信及び送信のために、ＤＬ及びＵＬにおいて存在する。ＰＣＣ及びＳＣＣ上の、残りの非サービングセルは、隣接セルと呼ばれる。
【０１４５】
ＣＡに属するＣＣは、同じ周波数帯域（イントラ帯域ＣＡとしても知られる）に、又は、異なる周波数帯域（インター帯域ＣＡ）に、又はそれらの任意の組み合わせに属し得る（例えば、帯域Ａに２つのＣＣ、及び帯域Ｂに１つのＣＣ）。２つの帯域にわたって分散されるキャリアを含むインター帯域ＣＡは、ＨＳＰＡにおいてはデュアル帯域デュアルキャリアＨＳＤＰＡ（ＤＢ−ＤＣ−ＨＳＤＰＡ）とも呼ばれ、又は、ＬＴＥにおいてはインター帯域ＣＡとも呼ばれる。さらに、イントラ帯域ＣＡにおけるＣＣは、周波数ドメインにおいて隣接状態であるか、又は非隣接状態（イントラ帯域非隣接ＣＡとしても知られる）であり得る。イントラ帯域隣接、イントラ帯域非隣接、及びインター帯域を含むハイブリッドＣＡも可能である。異なる技術のキャリア間でのキャリアアグリゲーションの使用は、“マルチＲＡＴキャリアアグリゲーション”、又は“マルチＲＡＴマルチキャリアシステム”、又は簡潔に“ＲＡＴ間キャリアアグリゲーション”とも称され、ここでＲＡＴは、無線アクセス技術の短縮形である。例えば、ＷＣＤＭＡ及びＬＴＥからのキャリアが統合されてよい。他の例は、ＬＴＥ及びＣＤＭＡ２０００（Code  Division  Multiple  Access  2000）のキャリアのアグリゲーションである。明瞭にするために、記載されたような同じ技術内のキャリアアグリゲーションは、“イントラＲＡＴ”又は簡潔に“シングルＲＡＴ”キャリアアグリゲーションとみなすことができる。
【０１４６】
マルチキャリア動作は、マルチアンテナ送信と併せて使用されてもよい。例えば、各ＣＣ上の信号は、ｅＮＢにより、２つ以上のアンテナを通じてＵＥへ送信され得る。
【０１４７】
ＣＡにおける複数のＣＣは、同じサイト、又は基地局若しくは無線ネットワークノード（例えばリレー、モバイルリレーなど）に共設されているかもしれず、共設されていないかもしれない。例えば、複数のＣＣは、異なるロケーション（例えば、位置が特定されないＢＳから、又はＢＳ及びＲＲＨ若しくはＲＲＵから）が発信元であってもよい（即ち、送受信されてもよい）。組み合わされたＣＡ及びマルチポイント通信の例は、分散アンテナシステム（ＤＡＳ）、ＲＲＨ、ＲＲＵ、多地点協調送受信（ＣｏＭＰ）、マルチポイント送信／受信などである。
【０１４８】
図１１は、無線ネットワークノード１１０により実行される、ユーザ機器１２０から無線ネットワークノード１１０への送信を管理するための例示的な方法のフロー図を示す。以下のアクションは、任意の好適な順序で実行されてよい。
【０１４９】
［アクション１１０１］
無線ネットワークノード１１０は、
予め定義される情報、
無線ネットワークノード１１０により実行される測定、
無線ネットワークノード１１０による、ユーザ機器１２０の送信電力レンジをスキャンするための手続、及び、
ユーザ機器１２０から受信される標識、
のうちの１つ以上に基づいて、少なくとも１つのモード切り替えポイントを示す情報を取得し得る。
【０１５０】
取得される情報は、第１の無線アクセス技術に関していてもよく、ユーザ機器１２０は、少なくとも第１の無線アクセス技術及び第２の無線アクセス技術に対応可能であり、当該方法は、第１の無線アクセス技術についての無線送信特性が第２の無線アクセス技術についての無線送信特性と同様であるという条件の下で、第１の無線アクセス技術についての少なくとも１つのモード切り替えポイントを示す情報に基づいて、第２の無線アクセス技術に関する第２の情報を取得すること、をさらに含み、第２の情報は、無線送信機１４２０の少なくとも１つのモード切り替えポイントを示す。
【０１５１】
このアクションは、アクション３０１と同様である。
【０１５２】
［アクション１１０２］
無線ネットワークノード１１０は、ユーザ機器１２０内に含まれる無線送信機１４２０の少なくとも１つのモード切り替えポイントを示す情報に基づいて、送信に関するトランスポートフォーマットを適応させる。
【０１５３】
述べたように、無線送信機１４２０は、第１の電力増幅器４２１及び第２の電力増幅器４２２を含み得る。少なくとも１つのモード切り替えポイントは、無線送信機１４２０の送信電力の観点で、無線送信機１４２０が、第１の電力増幅器が作動される第１のモードから第２の電力増幅器が作動される第２のモードへといつ切り替わるのかを示し得る。
【０１５４】
このアクションは、アクション３０２と同様である。
【０１５５】
［アクション１１０３］
無線ネットワークノード１１０は、
上記情報に基づいて、送信に関する、ユーザ機器１２０のＭＩＭＯ構成を適応させることと、
上記情報に基づいて、送信に関する、ユーザ機器１２０のアンテナモードを適応させることと、
上記情報に基づいて、送信に関するリファレンス信号構成を適応させることと、
上記情報に基づいて、無線ネットワークノード１１０内に含まれる無線受信機１２３０の構成を適応させることと、
のうちの１つ以上を実行し得る。
【０１５６】
このアクションは、アクション３０３、３０４、３０５、及び３０６のうちの１つ以上と同様である。
【０１５７】
［アクション１１０７］
無線ネットワークノード１１０は、さらなるネットワークノードへ当該情報を送信し得る。当該さらなるネットワークノードは、ユーザ機器１２０と当該さらなるネットワークノードとの間の送信のために上記情報を使用する。このアクションは、アクション３０７と同様である。
【０１５８】
図１２は、ユーザ機器１２０から無線ネットワークノード１１０への送信を管理するように構成される例示的な無線ネットワークノード１１０を示す。
【０１５９】
無線ネットワークノード１１０は、ユーザ機器１２０内に含まれる無線送信機１４２０の少なくとも１つのモード切り替えポイントを示す情報に基づいて、送信に関するトランスポートフォーマットを適応させるように構成される処理回路１２１０を含む。
【０１６０】
処理回路１２１０は、
予め定義される情報、
無線ネットワークノード１１０により実行される測定、
無線ネットワークノード１１０による、ユーザ機器１２０の送信電力レンジをスキャンするための手続、及び、
ユーザ機器１２０から受信される標識、
のうちの１つ以上に基づいて、無線送信機１４２０の少なくとも１つのモード切り替えポイントを示す情報を取得するようにさらに構成され得る。
【０１６１】
取得される情報は、第１の無線アクセス技術に関し、ユーザ機器１２０は、少なくとも第１の無線アクセス技術及び第２の無線アクセス技術に対応可能であり、処理回路１２１０は、第１の無線アクセス技術についての無線送信特性が第２の無線アクセス技術についての無線送信特性と同様であるという条件の下で、第１の無線アクセス技術についての情報に基づいて、第２の無線アクセス技術に関する第２の情報を取得するようにさらに構成され、第２の情報は、無線送信機１４２０の少なくとも１つのモード切り替えポイントを示す。
【０１６２】
処理回路１２１０は、
上記情報に基づいて、送信に関する、ユーザ機器１２０のＭＩＭＯ構成を適応させることと、
上記情報に基づいて、送信に関する、ユーザ機器１２０のアンテナモードを適応させることと、
上記情報に基づいて、送信に関するリファレンス信号構成を適応させることと、
上記情報に基づいて、無線ネットワークノード１１０内に含まれる無線受信機１２３０の構成を適応させることと、
のうちの１つ以上を行うようにさらに構成され得る。
【０１６３】
処理回路１２１０は、ユーザ機器１２０とさらなるネットワークノードとの間の送信のために情報を使用可能である、当該さらなるネットワークノードへ情報を送信するようにさらに構成され得る。
【０１６４】
無線ネットワークノード１１０は、少なくとも１つのモード切り替えポイントを示す情報、明示的な構成情報、及び／又は、ここに記載される、その他の数、値、若しくはパラメータのうちの１つ以上を送信するように構成され得る送信機１２２０をさらに含む。
【０１６５】
無線ネットワークノード１１０は、少なくとも１つのモード切り替えポイントを示す情報、ユーザ機器により適応化された送信に関する情報、及び／又は、ここに記載される、その他の数、値、若しくはパラメータのうちの１つ以上を受信するように構成され得る受信機１２３０をさらに含む。
【０１６６】
無線ネットワークノード１１０は、例えば処理回路により実行されるべきソフトウェアを記憶するためのメモリ１２４０をさらに含む。当該ソフトウェアは、処理回路が、図３及び／又は図１１と併せて上で説明したような無線ネットワークノード１１０における方法を実行することを可能にする命令を含み得る。
【０１６７】
図１３は、ユーザ機器１２０により実行される、当該ユーザ機器１２０から無線ネットワークノード１１０への送信を管理するための例示的な方法のフロー図を示す。以下のアクションは、任意の好適な順序で実行されてよい。
【０１６８】
［アクション１３０１］
ユーザ機器１２０は、少なくとも１つのモード切り替えポイントを示す情報を無線ネットワークノード１１０へ送信し得る。このアクションは、アクション３１０と同様である。
【０１６９】
［アクション１３０２］
ユーザ機器１２０は、ユーザ機器１２０内に含まれる無線送信機１４２０の少なくとも１つのモード切り替えポイントを示す情報に基づいて、送信を適応させる。このアクションは、アクション３１１と同様である。
【０１７０】
送信を適応させることは、上記情報に基づいて、送信に関する値を適応させることをさらに含んでもよく、当該値は、
送信に関する１つ以上の電力制御パラメータ、
送信に関するトランスポートフォーマット、
送信に関する、ユーザ機器１２０のＭＩＭＯ構成、
送信に関する、ユーザ機器１２０のアンテナモード、
送信に関するリファレンス信号構成、及び、
無線ネットワークノード１１０内に含まれる無線受信機１２３０の構成、
のうちの１つ以上を含む。
【０１７１】
送信を適応させることは、送信の相対位相ズレがしきい値を超過したことを上記情報が示すときに実行され得る。
【０１７２】
送信を適応させることは、ユーザ機器１２０が無線ネットワークノード１１０により、送信を適応させること３１１を実行することが許容されるように明示的に構成されているという条件の下で実行されてもよい。
【０１７３】
［アクション１３０３］
ユーザ機器１２０は、適応させた送信に関する情報を無線ネットワークノード１１０へ送信し得る。このアクションは、アクション３１２と同様である。
【０１７４】
図１４は、ユーザ機器１２０から無線ネットワークノード１１０への送信を管理するように構成される例示的なユーザ機器１２０を示す。
【０１７５】
ユーザ機器１２０は、ユーザ機器１２０内に含まれる無線送信機１４２０の少なくとも１つのモード切り替えポイントを示す情報に基づいて、送信を適応させるように構成される処理回路１４１０を含む。
【０１７６】
処理回路１４１０は、上記情報に基づいて、送信に関する値を適応させるようにさらに構成され得る。当該値は、
送信に関する１つ以上の電力制御パラメータ、
送信に関するトランスポートフォーマット、
送信に関する、ユーザ機器１２０のＭＩＭＯ構成、
送信に関する、ユーザ機器１２０のアンテナモード、
送信に関するリファレンス信号構成、及び、
無線ネットワークノード１１０内に含まれる無線受信機１２３０の構成、
のうちの１つ以上を含む。
【０１７７】
処理回路１４１０は、適応させた送信に関する情報を無線ネットワークノード１１０へ送信するようにさらに構成され得る。
【０１７８】
処理回路１４１０は、少なくとも１つのモード切り替えポイントを示す情報を無線ネットワークノード１１０へ送信するようにさらに構成され得る。
【０１７９】
処理回路１４１０は、アップリンク送信の相対位相ズレが相対位相ズレを示すためのしきい値を超過したことを情報が示すときに、アップリンク送信を適応させるようにさらに構成され得る。
【０１８０】
処理回路１４１０は、ユーザ機器１２０が無線ネットワークノード１１０により、アップリンク送信を適応させることが許容されるように明示的に構成されているという条件の下で、アップリンク送信を適応させるようにさらに構成されてもよい。
【０１８１】
ユーザ機器１２０は、少なくとも１つのモード切り替えポイントを示す情報、ユーザ機器により適応させた送信に関する情報、及び／又は、ここに記載される、その他の数、値、若しくはパラメータのうちの１つ以上を送信するように構成され得る送信機１４２０をさらに含む。
【０１８２】
ユーザ機器１２０は、少なくとも１つのモード切り替えポイントを示す送信情報の自律的な適応を許容するための明示的な情報、及び／又は、ここに記載される、その他の数、値、若しくはパラメータのうちの１つ以上を受信するように構成され得る受信機１４３０をさらに含む。
【０１８３】
ユーザ機器１２０は、例えば処理回路により実行されるべきソフトウェアを記憶するためのメモリ１４４０をさらに含む。当該ソフトウェアは、処理回路が図３及び／又は図１３と併せて上で説明したようなユーザ機器１２０における方法を実行することを可能にする命令を含み得る。
【０１８４】
ここで使用される“処理回路”という用語は、処理ユニット、プロセッサ、特定用途向け集積回路（ＡＳＩＣ）、又はフィールドプログラマブルゲートアレイ（ＦＰＧＡ）などを指し得る。一例として、プロセッサ、ＡＳＩＣ、又はＦＰＧＡなどは、１つ以上のプロセッサカーネルを含み得る。
【０１８５】
ここで使用される“メモリ”という用語は、ハードディスク、磁気記憶媒体、ポータブルコンピュータディスケット若しくはディスク、フラッシュメモリ、又はランダムアクセスメモリ（ＲＡＭ）などを指し得る。さらに、“メモリ”は、プロセッサの内部レジスタメモリを指し得る。
【０１８６】
上述の説明及び添付の図面が、ここで教示される方法及び装置の非限定的な例を表すことが認識されるであろう。このように、ここでの実施形態は、上述の説明及び添付の図面により限定されない。本発明はむしろ、添付の特許請求の範囲と、それらの法的な均等物とによってのみ限定される。
【０１８７】
上記の実施態様に加え、まださらなる実施態様が以下のセクションにおいて要約される。
【０１８８】
異なる実施態様によれば、本開示は、受信性能を改善するために、無線送信機のモード切り替え情報を決定して送信を適応させるための方法及び装置を含む。
【０１８９】
１つの実施形態によれば、送信機は、ユーザ機器内に配置され、送信される信号は、ｅＮｏｄｅＢといった基地局において受信される。
【０１９０】
他の実施態様によれば、ＵＥにサービスする無線ネットワークノードにおける方法は、
ＵＥの無線送信機モード切り替え情報を取得するステップと、
ＵＬ受信品質を改善するために、ＵＥに関するＵＬ送信を適応させるステップと
を含む。
【０１９１】
さらなる実施態様によれば、ＵＥ無線送信機モード切り替え情報を取得してＵＬ送信を適応させるために、回路が設けられた無線ネットワークノードが開示される。
【０１９２】
さらなる実施態様によれば、無線ネットワークノードは、以下の手段、即ち、
−予め定義される情報、
−ＵＬ送信上の測定、例えば、ＳＲＳ及び物理アップリンク共有チャネル（ＰＵＳＣＨ）を使用して、それを、ＵＥ）からの電力ヘッドルームレポート（ＰＨＲ）に関連付けること、
−関心の対象となる送信電力レンジをスキャンして、例えば対応する相対位相（ＲＰ）を測定すること、並びに、
−ＵＥから明示的情報を受信することであって、ＵＥは、当該ＵＥ内で記憶された、予め決定された情報又は関連するＵＥ測定に基づいて、当該明示的情報を決定することができる、ＵＥからのその明示的情報を受信すること、
のうちの１つ以上に基づいて、無線送信機モード切り替え情報を取得し得る。
【０１９３】
さらなる実施態様によれば、ＵＬ受信品質を改善するためにＵＥに関するＵＬ送信を適応させることは、
−ＵＬ物理チャネル又は信号に関する１つ以上のパラメータの適応、
−ＵＬ電力制御、ＵＬリファレンス信号、
−ＵＬトランスポートフォーマット、
−ＵＬ受信機特性など、
のうちの１つ以上を含み得る。
【０１９４】
本開示のさらなる実施態様によれば、無線ネットワークノードにおける方法は、
ＵＥの無線送信機モード切り替え、及び／又はＵＥのＵＬ送信の適応に関する情報を取得するステップと、
取得される情報を無線管理タスクのために使用し得るその他のネットワークノードへ、当該取得される情報を転送するステップと、
をさらに含む。
【０１９５】
さらにその他の実施態様によれば、無線ネットワークノードによりサービスされるＵＥにおける方法は、
その無線送信機のモード切り替えに関する情報を決定するステップ、
決定されたモード切り替え情報を無線ネットワークノードへシグナリングするステップ、及び／又は、
決定されたモード切り替え情報に依存し、１つ以上の予め定義されるルールに基づいて、ＵＬ送信に関する１つ以上のパラメータを自律的に適応させるステップ、
を含む。
【図１】
0005905998.tif 000004
【図２】
0005905998.tif 000005
【図３】
0005905998.tif 000006
【図４】
0005905998.tif 000007
【図５】
0005905998.tif 000008
【図６】
0005905998.tif 000009
【図７】
0005905998.tif 000010
【図８】
0005905998.tif 000011
【図９】
0005905998.tif 000012
【図１０−１】
0005905998.tif 000013
【図１０−２】
0005905998.tif 000014
【図１０−３】
0005905998.tif 000015
【図１１】
0005905998.tif 000016
【図１２】
0005905998.tif 000017
【図１３】
0005905998.tif 000018
【図１４】
0005905998.tif 000019